(57)【要約】   本開示は、チャネル符号化に用いるユーザー装置、基地局における方法及び装置を公開する。第１ノードは、第１ビット・ブロックを特定し、チャネル符号化を実行して第１無線信号を送信する。ここで、第１ビット・ブロックにおけるビットは、第２ビット・ブロックにおけるビットを生成するために用いられる。第１ビット・ブロックにおけるビットと第２ビット・ブロックにおけるビットとは、チャネル符号化の入力に用いられ、チャネル符号化の出力は、第１無線信号を生成するために用いられる。チャネル符号化は、ポーラーコードに基づくものである。目標第１種類のビットによって占有されるサブチャネルは、第２ビット・ブロックにおける目標第１種類のビットに関連するビットの数に関わる。目標第１種類のビットは、第１ビット・ブロックに属する。本発明によれば、ポーラーコードの復号化性能が向上し、復号化複雑性を低減する。
2020504567.tif 000002
【特許請求の範囲】
【請求項１】
無線通信に用いる第1ノードにおける方法であって、
第1ビット・ブロックを特定することと、
チャネル符号化を実行することと、
第1無線信号を送信することと、
を含み、
ここで、前記第1ビット・ブロックにおけるビットは、第2ビット・ブロックにおけるビットを生成するために用いられ、前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられ、前記チャネル符号化は、ポーラーコードに基づくものであり、前記チャネル符号化について、目標第1種類のビットによって占有されるサブチャネルは、前記第2ビット・ブロックにおける前記目標第1種類のビットに関連するビットの数及びK個の第1種類のビットセットにおけるビットの数の少なくとも一つに関連し、前記目標第1種類のビットは、前記第1ビット・ブロックに属し、前記K個の第1種類のビットセットとK個の第2種類のビットとは一対一で対応し、前記K個の第2種類のビットは、前記第2ビット・ブロックにおける前記目標第1種類のビットに関連する全てのビットであり、前記K個の第2種類のビットにおける任意の一つに対して、第2種類のビットが与えられ、前記第1ビット・ブロックにおいて、前記所定の第2種類のビットを生成するために用いる全てのビットは、前記K個の第1種類のビットセットにおける前記所定の第2種類のビットに対応する第1種類のビットセットを構成し、前記Kは正の整数である
方法。
【請求項２】
前記第2ビット・ブロックにおける前記目標第1種類のビットに関連するビットの数が多いほど、前記目標第1種類のビットによって占有されるサブチャネルに対応するチャネル容量は低い、
請求項1に記載の方法。
【請求項３】
前記K個の第1種類のビットセットにおけるビットの数の和が小さいほど、前記目標第1種類のビットによって占有されるサブチャネルに対応するチャネル容量は低い、
請求項1または２に記載の方法。
【請求項４】
前記K個の第1種類のビットセットにおけるビットの数の逆数の和が大きいほど、前記目標第1種類のビットによって占有されるサブチャネルに対応するチャネル容量は低い、
請求項1または２に記載の方法。
【請求項５】
前記第1ビット・ブロックは、第1ビット・サブブロックと第2ビット・サブブロックを含み、前記第1ビット・サブブロックのCRCビット・ブロックは、前記第2ビット・サブブロックを生成するために用いられる、
請求項１から４のいずれか一項に記載の方法。
【請求項６】
第1ビットセットにおける任意の一つのビットによってマッピングされるサブチャネルのチャネル容量は、第2ビットセットにおける任意の一つのビットによってマッピングされるサブチャネルのチャネル容量よりも大きいか、前記第1ビット・ブロックにおけるビットは前記第1ビットセットに属し、前記第2ビット・ブロックにおけるビットは前記第2ビットセットに属するか、あるいは、
一部の前記第1ビット・ブロックにおけるビットは前記第1ビットセットに属し、他の一部の前記第1ビット・ブロックにおけるビットと前記第2ビット・ブロックにおけるビットは前記第2ビットセットに属する、
請求項１から5のいずれか一項に記載の方法。
【請求項７】
前記第1ビット・ブロックのCRCビット・ブロックは、前記第2ビット・ブロックを生成するために用いられる、
請求項１から6のいずれか一項に記載の方法。
【請求項８】
前記第1ノードは基地局であり、前記第1ビット・ブロックは下り制御情報を含む、あるいは、前記第1ノードはUEであり、前記第1ビット・ブロックは上り制御情報を含む、
請求項１から7のいずれか一項に記載の方法。
【請求項９】
無線通信に用いる第2ノードにおける方法であって、
第1無線信号を受信することと、
チャネル復号化を実行することと、
第1ビット・ブロックを復元することと、
を含み、
ここで、前記チャネル復号化に対応するチャネル符号化はポーラーコードに基づくものであり、前記第1ビット・ブロックにおけるビットは、第2ビット・ブロックにおけるビットを生成するために用いられ、前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられ、前記チャネル符号化について、目標第1種類のビットによって占有されるサブチャネルは、前記第2ビット・ブロックにおける前記目標第1種類のビットに関連するビットの数とK個の第1種類のビットセットにおけるビットの数の少なくとも一つに関連し、前記目標第1種類のビットは前記第1ビット・ブロックに属し、前記K個の第1種類のビットセットとK個の第2種類のビットとは一対一で対応し、前記K個の第2種類のビットは、前記第2ビット・ブロックにおける前記目標第1種類のビットに関連する全てのビットであり、前記K個の第2種類のビットにおける任意の一つに対して、所定の第2種類のビットが与えられ、前記第1ビット・ブロックにおいて、前記所定の第2種類のビットを生成するために用いられる全てのビットは、前記K個の第1種類のビットセットにおける前記所定の第2種類のビットに対応する第1種類のビットセットを構成し、前記Kは正の整数である
方法。
【請求項１０】
前記第2ビット・ブロックにおける前記目標第1種類のビットに関連するビットの数が多いほど、前記目標第1種類のビットによって占有されるサブチャネルに対応するチャネル容量は低い、
請求項9に記載の方法。
【請求項１１】
前記K個の第1種類のビットセットにおけるビットの数の和が小さいほど、前記目標第1種類のビットによって占有されるサブチャネルに対応するチャネル容量は低い、
請求項9または10に記載の方法。
【請求項１２】
前記K個の第1種類のビットセットにおけるビットの数の逆数の和が大きいほど、前記目標第1種類のビットによって占有されるサブチャネルに対応するチャネル容量は低い、
請求項9または10に記載の方法。
【請求項１３】
前記第1ビット・ブロックは第1ビット・サブブロックと第2ビット・サブブロックを含み、前記第1ビット・サブブロックのCRCビット・ブロックは、前記第2ビット・サブブロックを生成するために用いられる、
請求項9から12のいずれか一項に記載の方法。
【請求項１４】
第1ビットセットにおける任意の一つのビットによってマッピングされるサブチャネルのチャネル容量は、第2ビットセットにおける任意の一つのビットによってマッピングされるサブチャネルのチャネル容量よりも大きいか、前記第1ビット・ブロックにおけるビットは前記第1ビットセットに属し、前記第2ビット・ブロックにおけるビットは前記第2ビットセットに属するか、あるいは、
一部の前記第1ビット・ブロックにおけるビットは前記第1ビットセットに属し、他の一部の前記第1ビット・ブロックにおけるビットと前記第2ビット・ブロックにおけるビットは前記第2ビットセットに属する、
請求項9から13のいずれか一項に記載の方法。
【請求項１５】
前記第1ビット・ブロックは第1ビット・サブブロックと第2ビット・サブブロックを含み、前記第1ビット・サブブロックのCRCビット・ブロックは、前記第2ビット・サブブロックを生成するために用いられ、前記チャネル復号化は、P個の参照値を特定するために用いられ、前記P個の参照値と目標ビット・グループにおけるビットとは一対一で対応し、前記目標ビット・グループは、前記第1ビット・ブロックにおけるビットと前記第2ビット・ブロックにおけるビットからなり、前記第1ビット・ブロックにおけるビットの数と前記第2ビット・ブロックにおけるビットの数の和が前記Pであり、前記P個の参照値のうち、前記第2ビット・ブロックにおけるビットに対応する参照値は、前記チャネル復号化において枝刈りに用いられ、前記P個の参照値のうち、前記第2ビット・サブブロックにおけるビットに対応する参照値は、前記第1ビット・ブロックが正確に受信されたかを特定するために用いられ、前記Pは21を超える正の整数である、
請求項13から14のいずれか一項に記載の方法。
【請求項１６】
前記第1ビット・ブロックのCRCビット・ブロックは、前記第2ビット・ブロックを生成するために用いられる、
請求項9から15のいずれか一項に記載の方法。
【請求項１７】
前記第2ノードはUEであり、前記第1ビット・ブロックは下り制御情報を含む、あるいは、前記第2ノードは基地局であり、前記第1ビット・ブロックは上り制御情報を含む、
請求項9から16のいずれか一項に記載の方法。
【請求項１８】
無線通信に用いる第1ノードにおける装置であって、
第1ビット・ブロックを生成する第1プロセッサと、
チャネル符号化を実行する第2プロセッサと、
第1無線信号を送信する第1トランスミッタと、
を備え、
ここで、前記第1ビット・ブロックにおけるビットは、第2ビット・ブロックにおけるビットを生成するために用いられ、前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられ、前記チャネル符号化はポーラーコードに基づくものであり、前記チャネル符号化について、目標第1種類のビットによって占有されるサブチャネルは、前記第2ビット・ブロックにおける前記目標第1種類のビットに関連するビットの数とK個の第1種類のビットセットにおけるビットの数の少なくとも一つに関連し、前記目標第1種類のビットは前記第1ビット・ブロックに属し、前記K個の第1種類のビットセットとK個の第2種類のビットとは一対一で対応し、前記K個の第2種類のビットは、前記第2ビット・ブロックにおける前記目標第1種類のビットに関連する全てのビットであり、前記K個の第2種類のビットにおける任意の一つに対して、所定の第2種類のビットが与えられ、前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である
第1ノードにおける装置。
【請求項１９】
無線通信に用いる第2ノードにおける装置であって、
第1無線信号を受信する第1レシーバーと、
チャネル復号化を実行する第３プロセッサと、
第1ビット・ブロックを復元する第4プロセッサと、
を含み、
ここで、前記チャネル復号化に対応するチャネル符号化はポーラーコードに基づくものであり、前記第1ビット・ブロックにおけるビットは、第2ビット・ブロックにおけるビットを生成するために用いられ、前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられ、前記チャネル符号化について、目標第1種類のビットによって占有されるサブチャネルは、前記第2ビット・ブロックにおける前記目標第1種類のビットに関連するビットの数とK個の第1種類のビットセットにおけるビットの数の少なくとも一つに関連し、前記目標第1種類のビットは前記第1ビット・ブロックに属し、前記K個の第1種類のビットセットとK個の第2種類のビットとは一対一で対応し、前記K個の第2種類のビットは前記第2ビット・ブロックにおける前記目標第1種類のビットに関連する全てのビットであり、前記K個の第2種類のビットにおける任意の一つに対して、所定の第2種類のビットが与えられ、前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である
第2ノードにおける装置。
【発明の詳細な説明】
【発明の詳細な説明】
【０００１】
［技術分野］
本出願は、無線通信システムにおける無線信号の伝送方式に関し、特に、送信チャネル符号化に用いる方法及び装置に関する。
［背景技術］
ポーラーコード（Polar Code）は、2008年にトルコのビルケン大学のErdal Arikan教授によって初めて提案された符号化方式であり、対称式バイナリ入力ディスクリート・メモリレス・チャネル（B-DMC、Binary input Discrete Memoryless Channel）の容量を実現できるコード構成法である。3GPP（3rd Generation Partner Project、第3世代パートナーシッププロジェクト）ＲＡN1＃87会議で、3GPPは、5G eMBB（拡張モバイルブロードバンド）シナリオの制御チャネル符号化方式としてPolarコード方式を使用することを決定した。   レガシーLTE（Long Term Evolution）システムにおいて、CRC（Cyclic Redundancy Check、巡回冗長検査）は、エラー検査及び目標レシーバー身分認証等特定の機能を実現する。ポーラーコードについて、いくつかの3GPPドキュメント（例えば、R1?164356）は、ポーラーコードに向けて特殊な検査ビットを設けて、チャネル復号化の際に枝刈り（pruning）に用いるようにする。
［発明内容］
検討を経て、発明者は、ポーラーコードの異なるサブチャネル（sub-channel）は異なるチャネル容量に対応するため、異なるサブチャネル上にマッピングされる情報ビットは、BER（Bit Error Rate、エラー・ビットレート）が異なる可能性があることを発見した。よって、どのように冗長ビットを活用して復号化性能を向上させるかは問題になる。
【０００２】
上記問題に対して、本出願は解決案を提供する。注意すべきなのは、矛盾しない限り、本出願の実施例と実施例における特徴は、任意に組合せることができることである。例えば、本出願の第1ノードの実施例と実施例における特徴は、第2ノードに適用でき、その逆もまた同様である。
【０００３】
本出願は、無線通信に用いる第1ノードにおける方法を公開する。該方法は、
第1ビット・ブロックを特定することと、
チャネル符号化を実行することと、
第1無線信号を送信することと、
を含み、
ここで、前記第1ビット・ブロックにおけるビットは、第2ビット・ブロックにおけるビットを生成するために用いられ、前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられ、前記チャネル符号化はポーラーコードに基づくものであり、前記チャネル符号化について、目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連し、前記目標第1種類のビットは前記第1ビット・ブロックに属し、前記K個の第1種類のビットセットとK個の第2種類のビットとは一対一で対応し、前記K個の第2種類のビットは、前記第2ビット・ブロックにおける前記目標第1種類のビットに関連する全てのビットであり、前記K個の第2種類のビットにおける任意の一つに対して、所定の第2種類のビットが与えられ、前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。
【０００４】
一実施例として、上記方法の利点は、前記目標第1種類のビットによって占有されるサブチャネルの伝送信頼性に応じて、前記目標第1種類のビットに関連する検査ビットの冗長度を決定できることである。異なるサブチャネル上のビットに対して、等しくないエラー保護を実現し、信頼性の低いサブチャネル上で伝送されるビットについては、高レベルのエラー保護を使用することにより、その伝送信頼性は向上させることができる。
【０００５】
一実施例として、前記サブチャネルは、Arikan polarエンコーダの入力ビット・シーケンスにおける位置である。
上記実施例の一サブ実施例として、前記入力ビット・シーケンスとpolar符号化行列とが乗算され、得られた出力は前記チャネル符号化による出力となる。前記polar符号化行列は、ビット反転置換行列（bit reversal permutation matrix）と第1行列の積から得られ、前記第1行列はコアー行列のn次Kroneckerパワーであり、前記nは前記入力ビット・シーケンスの長さの2を底とする対数であり、前記コアー行列は2行2列の行列であり、1行目の二つの要素はそれぞれ1と0であり、2行目の二つの要素はともに1である。
【０００６】
一実施例として、前記目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連することは、前記目標第1種類のビットによって占有されるサブチャネルのチャネル容量は、{前記第2ビット・ブロックにおける前記目標ビットに関連するビットの数，K個の第1種類のビットセットにおけるビットの数}の少なくとも一つに関連することを意味する。
【０００７】
一実施例として、前記サブチャネルのチャネル容量は、サブチャネル上で伝送可能な情報レートの上限である。
一実施例として、前記第1ビット・ブロックにおける一部のビットは、前記第2ビット・ブロックにおけるビットと関係がない。
【０００８】
一実施例として、前記第1ビット・ブロックは、前記第1ノードの物理レイヤ上で生成される。
一実施例として、前記第1ノードは基地局であり、前記第1ノードは、スケジューリング結果に応じて、前記第1ビット・ブロックを生成する。
【０００９】
一実施例として、前記第1ノードはUE（User Equipment、ユーザー装置）であり、前記第1ノードは、基地局のスケジューリングに応じて、前記第1ビット・ブロックを生成する。
【００１０】
一実施例として、前記第2ビット・ブロックにおける任意のビットについて、前記の任意ビットは、前記第1ビット・ブロックにおける正の整数個のビットの和が2でモジュロ演算した結果と等しい。
【００１１】
一実施例として、前記第2ビット・ブロックにおける任意のビットについて、前記任意のビットは、前記第1ビット・ブロックにおける正の整数個のビットの和が2でモジュロ演算し、さらにスクランブリング・シーケンスにおける対応するビットとXOR演算してから得られる。
【００１２】
一実施例として、前記第2ビット・ブロックは、前記第1ビット・ブロック以外のビットと関係がない。
一実施例として、前記チャネル符号化の入力は、{前記第1ビット・ブロックにおける全てのビット,前記第2ビット・ブロックにおける全てのビット,第3ビット・ブロックにおける全てのビット}を含む。前記第3ビット・ブロックにおける全てのビットの値は、予め設定されたものである。
【００１３】
上記実施例の一サブ実施例として、前記第3ビット・ブロックにおける全てのビットは、いずれも0である。
上記実施例の一サブ実施例として、前記第3ビット・ブロックにおけるビットは、前記第1ノードの識別子に関わるものである。
【００１４】
上記実施例の一サブ実施例として、前記第1ノードの識別子は、前記第3ビット・ブロックにおけるビットを生成するために用いられる。
上記実施例の一サブ実施例として、前記第3ビット・ブロックにおけるビットは、前記第1無線信号の目標受信者の識別子に関わるものである。
【００１５】
上記実施例の一サブ実施例として、前記第1無線信号の目標受信者の識別子は、前記第3ビット・ブロックにおけるビットを生成するために用いられる。
一実施例として、前記第1無線信号は、物理レイヤ制御チャネル（即ち、物理レイヤ・データの伝送に用いられない物理レイヤ・チャネル）上で伝送される。
【００１６】
一実施例として、前記第1無線信号は、物理レイヤ・データチャネル（即ち、物理レイヤ・データを運ぶために用いられる物理レイヤ・チャネル）上で伝送される。
一実施例として、前記第1ノードはUEである。
【００１７】
上記実施例の一サブ実施例として、前記第1無線信号は、PUCCH（Physical Uplink Control Channel、物理アップリンク制御チャネル）上で伝送される。
上記実施例の一サブ実施例として、前記第1無線信号は、PUSCH(Physical Uplink Shared Channel、物理アップリンク共有チャネル)上で伝送される。
【００１８】
一実施例として、前記第1ノードは基地局である。
上記実施例の一サブ実施例として、前記第1無線信号は、PDSCH(Physical Downlink Shared Channel、物理ダウンリンク共有チャネル)上で伝送される。
【００１９】
上記実施例の一サブ実施例として、前記第1無線信号在PDCCH（Physical Downlink Control Channel、物理ダウンリンク制御チャネル）上で伝送される。
一実施例として、前記第1無線信号は、前記チャネル符号化の出力について、順次チャネル符号化（Channel Coding）、スクランブリング（Scrambling）、変調マッパー（Modulation Mapper）、レイヤ・マッパー（Layer Mapper）、プリコーディング（Precoding）、リソース・エレメント・マッパー（Resource Element Mapper）、広帯域シンボル生成（Generation）を行ってからの出力である。
【００２０】
一実施例として、前記第1無線信号は、前記第3ビット・ブロックについて、順次スクランブリング、変調マッパー、レイヤ・マッパー、変換プリコーダ（transform precoder、複素数値信号を生成するために用いられる）、プリコーディング、リソース・エレメント・マッパー、広帯域シンボル生成を行ってからの出力である。
【００２１】
一実施例として、前記広帯域信号はOFDM（Orthogonal Frequency Division Multiplexing、直交周波数分割多重）シンボルである。
一実施例として、前記広帯域信号はFBMC（Filter Bank Multi Carrier、フィルター・バンク・マルチ・キャリア）シンボルである。
【００２２】
具体的には、本出願の一方面によれば、前記第2ビット・ブロックにおける前記目標第1種類のビットに関連するビットの数が大きいほど、前記目標第1種類のビットによって占有されるサブチャネルに対応するチャネル容量が低い。
【００２３】
一実施例として、前記第2ビット・ブロックにおける前記目標第1種類のビットに関連するビットの数が大きいほど、前記目標第1種類のビットのBER（Bit Error Rate，エラー・ビットレート）はより多く低減される。よって、前記第1ビット・ブロックにおけるビットに対応するBERを平均化するように、前記目標第1種類のビットは、より低いチャネル容量に対応するサブチャネル上にマッピングされるべきである。
【００２４】
一実施例として、第1所定のビットによって占有されるサブチャネルのチャネル容量は、第2所定のビットによって占有されるサブチャネルのチャネル容量よりも小さい。前記第1所定のビットと前記第2所定のビットはいずれも前記第1ビット・ブロックに属し、前記第2ビット・ブロックにおける前記第1所定のビットに関連するビットの数は、前記第2ビット・ブロックにおける前記第2所定のビットに関連するビットの数よりも大きい。
【００２５】
具体的には、本出願の一方面によれば、前記K個の第1種類のビットセットにおけるビットの数の和が小さいほど、前記目標第1種類のビットによって占有されるサブチャネルに対応するチャネル容量は低い。
【００２６】
一実施例として、前記Kは1と等しい。
一実施例として、前記Kは1を超える。
一実施例として、上記方面において、前記Kはそのまま変わらない。
【００２７】
一実施例として、他の条件が同じである場合、前記K個の第1種類のビットセットにおけるビットの数の和が小さいほど、前記目標第1種類のビットのBERはより多く低減される。よって、前記第1ビット・ブロックにおけるビットに対応するBERを平均化するように、前記目標第1種類のビットは、より低いチャネル容量に対応するサブチャネル上にマッピングされるべきである。
【００２８】
一実施例として、K1個の第1種類のビットセットにおけるビットの数の和が、K2個の第1種類のビットセットにおけるビットの数の和よりも小さい。前記K1個の第1種類のビットセットとK1個の第2種類のビットとは一対一で対応する。前記K1個の第2種類のビットは、前記第2ビット・ブロックにおける第1所定のビットに関連する全てのビットである。前記K2個の第1種類のビットセットとK2個の第2種類のビットとは一対一で対応する。前記K2個の第2種類のビットは、前記第2ビット・ブロックにおける第2所定のビットに関連する全てのビットである。前記K1と前記K2はそれぞれ正の整数である。前記第1所定のビットによって占有されるサブチャネルのチャネル容量は、前記第2所定のビットによって占有されるサブチャネルのチャネル容量よりも小さい。前記第1所定のビットと前記第2所定のビットとは、いずれも前記第1ビット・ブロックに属する。
【００２９】
一実施例として、前記K1は、前記K2と等しい。
具体的には、本出願の一方面によれば、前記K個の第1種類のビットセットにおけるビットの数の逆数の和が大きいほど、前記目標第1種類のビットによって占有されるサブチャネルに対応するチャネル容量は低い。
【００３０】
一実施例として、K個の有理数の和が大きいほど、前記目標第1種類のビットによって占有されるサブチャネルに対応するチャネル容量は低い。前記K個の有理数と前記K個の第1種類のビットセットとは一対一で対応する。前記K個の有理数における任意の一つの有理数は、対応する第1種類のビットセットにおけるビットの数の逆数である。
【００３１】
一実施例として、他の条件が同じである場合、前記K個の第1種類のビットセットにおけるビットの数の逆数の和が大きいほど、前記目標第1種類のビットのBERはより多く低減される。よって、前記第1ビット・ブロックにおけるビットに対応するBERを平均化するように、前記目標第1種類のビットは、より低いチャネル容量に対応するサブチャネル上にマッピングされるべきである。
【００３２】
一実施例として、上記方面において、前記Kはそのまま変わらない。
一実施例として、K1個の第1種類のビットセットにおけるビットの数の逆数の和が、K2個の第1種類のビットセットにおけるビットの数の逆数の和よりも大きい。前記K1個の第1種類のビットセットとK1個の第2種類のビットとは一対一で対応し、前記K1個の第2種類のビットは、前記第2ビット・ブロックにおける第1所定のビットに関連する全てのビットである。前記K2個の第1種類のビットセットとK2個の第2種類のビットとは一対一で対応し、前記K2個の第2種類のビットは、前記第2ビット・ブロックにおける第2所定のビットに関連する全てのビットである。前記K1と前記K2は、それぞれ正の整数である。前記第1所定のビットによって占有されるサブチャネルのチャネル容量は、前記第2所定のビットによって占有されるサブチャネルのチャネル容量よりも小さい。前記第1所定のビットと前記第2所定のビットとは、いずれも前記第1ビット・ブロックに属する。
【００３３】
一実施例として、前記K1は、前記K2と等しい。
具体的には、本出願の一方面によれば、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。
【００３４】
一実施例として、前記第1ビット・サブブロックと前記第2ビット・サブブロックは、前記第1ビット・ブロックを構成する。
一実施例として、前記第2ビット・サブブロックは、前記第1ビット・サブブロックのCRCビット・ブロックである。
【００３５】
一実施例として、前記第2ビット・サブブロックは、前記第1ビット・サブブロックのCRCビット・ブロックに対してスクランブリングを行ったビット・ブロックである。
一実施例として、前記スクランブリングで採用されるスクランブリング・シーケンスは、前記第1ノードの識別子に関わる。
【００３６】
一実施例として、前記第1ノードはUEであり、前記第1ノードの識別子はRNTI（Radio Network Temporary Identifier、無線ネットワーク一時識別子）である。
一実施例として、前記第1ノードは基地局であり、前記第1ノードの識別子はPCI（Physical Cell Identifier、物理セル識別子）である。
【００３７】
一実施例として、前記スクランブリングで採用されるスクランブリング・シーケンスは、前記第1無線信号の目標受信者の識別子に関わる。
一実施例として、前記第1ノードは基地局であり、前記第1無線信号の目標受信者の識別子はRNTIである。
【００３８】
一実施例として、前記第1ビット・サブブロックのCRCビット・ブロックは、前記第1ビット・サブブロックのCRC巡回生成多項式（cyclic generator polynomial）による出力である。前記第1ビット・ブロックと前記第1ビット・ブロックのCRCビット・ブロックからなる多項式は、GF（2）上では前記CRC巡回生成多項式によって割り切れる。即ち、前記第1ビット・ブロックと前記第1ビット・ブロックのCRCビット・ブロックからなる多項式は、前記CRC巡回生成多項式で割り算する場合、剰余はゼロである。
【００３９】
一実施例として、前記第2ビット・サブブロックの長さは{24，16，8}のうちの一つである。
一実施例として、前記第2ビット・サブブロックの長さは8より小さい。
【００４０】
一実施例として、前記第2ビット・サブブロックにおけるビットは、前記第2ビット・ブロックにおけるビットと関係がない。
一実施例として、前記第1ビット・サブブロックにおける一部のビットは、前記第2ビット・ブロックにおけるビットを生成するために用いられ、前記第1ビット・サブブロックにおける他の一部のビットは、前記第2ビット・ブロックにおけるビットと関係がない。
【００４１】
具体的には、本出願の一方面によれば、第1ビットセットにおける任意の一つのビットによってマッピングされるサブチャネルのチャネル容量は、第2ビットセットにおける任意の一つのビットによってマッピングされるサブチャネルのチャネル容量よりも大きいか、前記第1ビット・ブロックにおけるビットは前記第1ビットセットに属し、前記第2ビット・ブロックにおけるビットは前記第2ビットセットに属するか、あるいは、一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。
【００４２】
一実施例として、上記方法の利点は、前記第1ビットセットと前記第2ビットセットに対して等しくないエラー保護を実現でき、重要なビットを高信頼性のサブチャネル上で伝送し、前記第1無線信号の伝送品質を向上させることである。
【００４３】
一実施例として、前記第1ビットセットと前記第2ビットセットにおいては、共通ビットが存在しない。
一実施例として、任意の一つの前記第1ビット・ブロックにおけるビットは、{前記第1ビットセット，前記第2ビットセット}における一つに属し、任意の一つの前記第2ビット・ブロックにおけるビットは、{前記第1ビットセット，前記第2ビットセット}における一つに属する。
【００４４】
一実施例として、前記チャネル符号化の入力は、{前記第1ビット・ブロックにおける全てのビット,前記第2ビット・ブロックにおける全てのビット,第3ビット・ブロックにおける全てのビット}を含む。前記第3ビット・ブロックにおける全てのビットの値は、予め設定されたものである。前記第3ビット・ブロックにおける任意の一つのビットによってマッピングされるサブチャネルのチャネル容量は、前記第2ビットセットにおける任意の一つのビットによってマッピングされるサブチャネルのチャネル容量よりも小さい。
【００４５】
一実施例として、前記一部の前記第1ビット・ブロックにおけるビットと前記他の一部の前記第1ビット・ブロックにおけるビットは、前記第1ビット・ブロックを構成する。
一実施例として、前記他の一部の前記第1ビット・ブロックにおけるビットは、前記第2ビット・ブロックにおけるビットを生成するために用いられ、前記第2ビット・ブロックにおけるビットは、前記一部の前記第1ビット・ブロックにおけるビットと関係がない。
【００４６】
一実施例として、前記他の一部の前記第1ビット・ブロックにおけるビットにおける任意の一つのビットによって占有されるサブチャネルのチャネル容量は、前記第2ビット・ブロックにおける任意の一つのビットによって占有されるサブチャネルのチャネル容量よりも大きい。
【００４７】
具体的には、本出願の一方面によれば、前記第1ビット・ブロックのCRCビット・ブロックは、前記第2ビット・ブロックを生成するために用いられる。
一実施例として、前記第2ビット・ブロックは、前記第1ビット・ブロックのCRCビット・ブロックである。
【００４８】
一実施例として、前記第2ビット・ブロックは、前記第1ビット・ブロックのCRCビット・ブロックに対してスクランブリングを行ったビット・ブロックである。
一実施例として、前記スクランブリングで採用されるスクランブリング・シーケンスは、前記第1ノードの識別子に関わる。
【００４９】
一実施例として、前記第1ノードはUEであり、前記第1ノードの識別子はRNTI（Radio Network Temporary Identifier、無線ネットワーク一時識別子）である。
一実施例として、前記第1ノードは基地局であり、前記第1ノードの識別子はPCI（Physical Cell Identifier、物理セル識別子）である。
【００５０】
一実施例として、前記スクランブリングで採用されるスクランブリング・シーケンスは、前記第1無線信号の目標受信者の識別子に関わる。
一実施例として、前記第1ノードは基地局であり、前記第1無線信号の目標受信者の識別子はRNTIである。
【００５１】
一実施例として、前記第1ビット・ブロックのCRCビット・ブロックは、前記第1ビット・ブロックのCRC巡回生成多項式（cyclic generator polynomial）による出力である。前記第1ビット・ブロックと前記第1ビット・ブロックのCRCビット・ブロックからなる多項式は、GF（2）上では前記CRC巡回生成多項式によって割り切れる。即ち、前記第1ビット・ブロックと前記第1ビット・ブロックのCRCビット・ブロックからなる多項式は、前記CRC巡回生成多項式で割り算する場合、剰余はゼロである。
【００５２】
一実施例として、前記他の一部の前記第1ビット・ブロックにおけるビットは、前記第2ビット・ブロックを生成するために用いられる。
一実施例として、前記第2ビット・ブロックは、前記他の一部の前記第1ビット・ブロックにおけるビットのCRCビット・ブロックである。
【００５３】
一実施例として、前記第2ビット・ブロックは、前記他の一部の前記第1ビット・ブロックにおけるビットのCRCビット・ブロックに対してスクランブリングを行ったビット・ブロックである。
【００５４】
一実施例として、前記他の一部の前記第1ビット・ブロックにおけるビットは、前記第1ビット・サブブロックのサブセットである。
上記実施例の一サブ実施例として、前記第1ビット・サブブロックにおいて、前記他の一部の前記第1ビット・ブロックにおけるビットに属さないビットは、前記第2ビット・ブロックにおけるビットと関係がない。
【００５５】
具体的には、本出願の一方面によれば、前記第1ノードは基地局であり、前記第1ビット・ブロックは下り制御情報を含む、あるいは、前記第1ノードはUEであり、前記第1ビット・ブロックは上り制御情報を含む。
【００５６】
一実施例として、前記下り制御情報は、対応するデータである{占有される時間領域リソース，占有される周波数領域リソース，MCS（Modulation and Coding Scheme、変調符号化方式），RV（Redundancy Version、冗長バージョン），NDI（New Data Indicator、新データ指示），HARQ（Hybrid Automatic Repeat Request、ハイブリッド自動再送要求）プロセス番号}の少なくとも一つを指示する。
【００５７】
一実施例として、前記上り制御情報は、{HARQ-ACK（Acknowledgement、確認），CSI（Channel State Information、チャネル状態情報），SR（Scheduling Request、スケジューリング・リクエスト），CRI(FD-MIMO resource indication)}の少なくとも一つを指示する。
【００５８】
本出願は、無線通信に用いる第2ノードにおける方法を公開する。該方法は、
第1無線信号を受信することと、
チャネル復号化を実行することと、
第1ビット・ブロックを復元することと、
を含み、
ここで、前記チャネル復号化に対応するチャネル符号化はポーラーコードに基づくものであり、前記第1ビット・ブロックにおけるビットは、第2ビット・ブロックにおけるビットを生成するために用いられ、前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられ、前記チャネル符号化について、目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連し、前記目標第1種類のビットは前記第1ビット・ブロックに属し、前記K個の第1種類のビットセットとK個の第2種類のビットとは一対一で対応し、前記K個の第2種類のビットは前記第2ビット・ブロックにおける前記目標第1種類のビットに関連する全てのビットであり、前記K個の第2種類のビットにおける任意の一つに対して、所定の第2種類のビットが与えられ、前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。
【００５９】
一実施例として、前記第2ノードは基地局であり、前記第1ノードはUEである。
一実施例として、前記第2ノードはUEであり、前記第1ノードは基地局である。
一実施例として、前記チャネル復号化の出力は、前記第1ビット・ブロックを復元するために用いられる。
【００６０】
具体的には、本出願の一方面によれば、前記第2ビット・ブロックにおける前記目標第1種類のビットに関連するビットの数が大きいほど、前記目標第1種類のビットによって占有されるサブチャネルに対応するチャネル容量は低い。
【００６１】
具体的には、本出願の一方面によれば、前記K個の第1種類のビットセットにおけるビットの数の和が小さいほど、前記目標第1種類のビットによって占有されるサブチャネルに対応するチャネル容量は低い。
【００６２】
具体的には、本出願の一方面によれば、前記K個の第1種類のビットセットにおけるビットの数の逆数の和が大きいほど、前記目標第1種類のビットによって占有されるサブチャネルに対応するチャネル容量は低い。
【００６３】
具体的には、本出願の一方面によれば、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。
【００６４】
具体的には、本出願の一方面によれば、第1ビットセットにおける任意の一つのビットによってマッピングされるサブチャネルのチャネル容量は、第2ビットセットにおける任意の一つのビットによってマッピングされるサブチャネルのチャネル容量よりも大きいか、前記第1ビット・ブロックにおけるビットは前記第1ビットセットに属し、前記第2ビット・ブロックにおけるビットは前記第2ビットセットに属するか、あるいは、一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。
【００６５】
具体的には、本出願の一方面によれば、前記チャネル復号化は、P個の参照値を特定するために用いられ、前記P個の参照値と目標ビット・グループにおけるビットとは一対一で対応し、前記目標ビット・グループは、前記第1ビット・ブロックにおけるビットと前記第2ビット・ブロックにおけるビットからなり、前記第1ビット・ブロックにおけるビットの数と前記第2ビット・ブロックにおけるビットの数との和は前記Pであり、前記P個の参照値のうち、前記第2ビット・ブロックにおけるビットに対応する参照値は、前記チャネル復号化において枝刈りに用いられ、前記P個の参照値のうち、前記第2ビット・サブブロックにおけるビットに対応する参照値は、前記第1ビット・ブロックが正確に受信されたかを特定するために用いられ、前記Pは1を超える正の整数である。
【００６６】
一実施例として、上記方法の利点は、前記第2ビット・ブロックにおけるビットは、前記チャネル復号化において復号化正確性を向上し、復号化複雑性を低減するために用いることができ、前記第2ビット・サブブロックにおけるビットは、レガシーCRCの機能、即ち、前記第1ビット・ブロックが正確に受信されたかを特定し、それと同時に前記第1ノードの識別子を伝送する、あるいは前記第1無線信号受信者の識別子を伝送する、ことを実現することに用いられることができることである。これにより、枝刈りとレガシーCRCの機能を同時に実現する。
【００６７】
一実施例として、前記P個の参照値は、それぞれ対応する（送信された）ビットに対して復元（受信）されたビットである。
一実施例として、前記P個の参照値は、それぞれ対応する（送信された）ビットに対して復元（受信）されたソフト・ビットである。
【００６８】
一実施例として、前記P個の参照値は、それぞれ対応する（送信された）ビットに対して推定されるLLR（Log Likelihood Ratio、対数尤度比）である。
一実施例として、前記枝刈りは、Viterbi基準に基づく前記チャネル復号化において残存するサーチ・パスを削減するために用いられる。
【００６９】
一実施例として、所定の参照値は、前記P個の参照値のうち、枝刈りに用いられる参照値である。前記所定の参照値について、枝刈りされるサーチ・パスに対応するビットは所定の第2種類のビットに関連し、前記所定の第2種類のビットは、前記第2ビット・ブロックにおける前記所定の参照値に対応するビットである。
【００７０】
上記実施例の一サブ実施例として、前記所定の参照値について、枝刈りされるサーチ・パスに対応するビットは、前記所定の第2種類のビットを生成するために用いられる。
上記実施例の一サブ実施例として、前記所定の参照値について、枝刈りされるサーチ・パスに対応するビットが2でモジュロ演算し、前記所定の第2種類のビットが得られる。
【００７１】
上記実施例の一サブ実施例として、前記所定の参照値について、枝刈りされるサーチ・パスに対応するビットの和が2でモジュロ演算し、さらにスクランブリング・シーケンスにおける対応するビットとXOR演算してから、前記所定の第2種類のビットが得られる。
【００７２】
一実施例として、前記P個の参照値のうち、前記第2ビット・サブブロックにおけるビットに対応する参照値は、前記第1無線信号の目標受信者の識別子を指示するために用いられる。
【００７３】
一実施例として、前記P個の参照値のうち、前記第2ビット・サブブロックにおけるビットに対応する参照値は、前記第1ノードの識別子を指示するために用いられる。
一実施例として、前記P個の参照値のうち前記第2ビット・サブブロックにおけるビットに対応する参照値及び前記P個の参照値のうち前記第1ビット・サブブロックにおけるビットに対応する参照値は、ともにCRC検査を行い、検査結果が正確である場合、前記第1ビット・ブロックが正確に復元されたと判断し、そうではない場合、前記第1ビット・ブロックが正確に復元されていないと判断する。
【００７４】
具体的には、本出願の一方面によれば、前記第1ビット・ブロックのCRCビット・ブロックは、前記第2ビット・ブロックを生成するために用いられる。
具体的には、本出願の一方面によれば、前記第2ノードはUEであり、前記第1ビット・ブロックは下り制御情報を含む、あるいは、前記第2ノードは基地局であり、前記第1ビット・ブロックは上り制御情報を含む。
【００７５】
本出願は、無線通信に用いる第1ノードにおける装置を公開する。該第1ノードにおける装置は、
第1ビット・ブロックを生成する第1プロセッサと、
チャネル符号化を実行する第2プロセッサと、
第1無線信号を送信する第1トランスミッタと、
を備え、
ここで、前記第1ビット・ブロックにおけるビットは、第2ビット・ブロックにおけるビットを生成するために用いられ、前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられ、前記チャネル符号化はポーラーコードに基づくものであり、前記チャネル符号化について、目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連し、前記目標第1種類のビットは前記第1ビット・ブロックに属し、前記K個の第1種類のビットセットとK個の第2種類のビットとは一対一で対応し、前記K個の第2種類のビットは前記第2ビット・ブロックにおける前記目標第1種類のビットに関連する全てのビットであり、前記K個の第2種類のビットにおける任意の一つに対して、所定の第2種類のビットが与えられ、前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。
【００７６】
一実施例として、上記第1ノードにおける装置は、前記第2ビット・ブロックにおける前記目標第1種類のビットに関連するビットの数が大きいほど、前記目標第1種類のビットによって占有されるサブチャネルに対応するチャネル容量は低い。
【００７７】
一実施例として、上記第1ノードにおける装置は、前記K個の第1種類のビットセットにおけるビットの数の和が小さいほど、前記目標第1種類のビットによって占有されるサブチャネルに対応するチャネル容量は低い。
【００７８】
一実施例として、上記第1ノードにおける装置は、前記K個の第1種類のビットセットにおけるビットの数の逆数の和が大きいほど、前記目標第1種類のビットによって占有されるサブチャネルに対応するチャネル容量は低い。
【００７９】
一実施例として、上記第1ノードにおける装置は、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。
【００８０】
一実施例として、上記第1ノードにおける装置は、第1ビットセットにおける任意の一つのビットによってマッピングされるサブチャネルのチャネル容量は、第2ビットセットにおける任意の一つのビットによってマッピングされるサブチャネルのチャネル容量よりも大きいか、前記第1ビット・ブロックにおけるビットは前記第1ビットセットに属し、前記第2ビット・ブロックにおけるビットは前記第2ビットセットに属するか、あるいは、一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。
【００８１】
一実施例として、上記第1ノードにおける装置は、前記第1ビット・ブロックのCRCビット・ブロックは、前記第2ビット・ブロックを生成するために用いられる。
一実施例として、上記第1ノードにおける装置は、前記第1ノードは基地局であり、前記第1ビット・ブロックは下り制御情報を含む、あるいは、前記第1ノードはUEであり、前記第1ビット・ブロックは上り制御情報を含む。
【００８２】
本出願は、無線通信に用いる第2ノードにおける装置を公開する。該第2ノードにおける装置は、
第1無線信号を受信する第1レシーバーと、
チャネル復号化を実行する第3プロセッサと、
第1ビット・ブロックを復元する第4プロセッサと、
を備え、
ここで、前記チャネル復号化に対応するチャネル符号化はポーラーコードに基づくものであり、前記第1ビット・ブロックにおけるビットは、第2ビット・ブロックにおけるビットを生成するために用いられ、前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられ、前記チャネル符号化について、目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連し、前記目標第1種類のビットは前記第1ビット・ブロックに属し、前記K個の第1種類のビットセットとK個の第2種類のビットとは一対一で対応し、前記K個の第2種類のビットは、前記第2ビット・ブロックにおける前記目標第1種類のビットに関連する全てのビットであり、前記K個の第2種類のビットにおける任意の一つに対して、所定の第2種類のビットが与えられ、前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。
【００８３】
一実施例として、上記第2ノードにおける装置は、前記チャネル復号化の出力は、前記第1ビット・ブロックを復元するために用いられる。
一実施例として、上記第2ノードにおける装置は、前記第2ビット・ブロックにおける前記目標第1種類のビットに関連するビットの数が大きいほど、前記目標第1種類のビットによって占有されるサブチャネルに対応するチャネル容量は低い。
【００８４】
一実施例として、上記第2ノードにおける装置は、前記K個の第1種類のビットセットにおけるビットの数の和が小さいほど、前記目標第1種類のビットによって占有されるサブチャネルに対応するチャネル容量は低い。
【００８５】
一実施例として、上記第2ノードにおける装置は、前記K個の第1種類のビットセットにおけるビットの数の逆数の和が大きいほど、前記目標第1種類のビットによって占有されるサブチャネルに対応するチャネル容量は低い。
【００８６】
一実施例として、上記第2ノードにおける装置は、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。
【００８７】
一実施例として、上記第2ノードにおける装置は、第1ビットセットにおける任意の一つのビットによってマッピングされるサブチャネルのチャネル容量は、第2ビットセットにおける任意の一つのビットによってマッピングされるサブチャネルのチャネル容量よりも大きいか、前記第1ビット・ブロックにおけるビットは前記第1ビットセットに属し、前記第2ビット・ブロックにおけるビットは前記第2ビットセットに属するか、あるいは、一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。
【００８８】
一実施例として、上記第2ノードにおける装置は、前記チャネル復号化は、P個の参照値を特定するために用いられ、前記P個の参照値と目標ビット・グループにおけるビットとは一対一で対応し、前記目標ビット・グループは、前記第1ビット・ブロックにおけるビット及び前記第2ビット・ブロックにおけるビットからなり、前記第1ビット・ブロックにおけるビットの数と前記第2ビット・ブロックにおけるビットの数との和が前記Pであり、前記P個の参照値のうち、前記第2ビット・ブロックにおけるビットに対応する参照値は、前記チャネル復号化において枝刈りに用いられ、前記P個の参照値のうち、前記第2ビット・サブブロックにおけるビットに対応する参照値は、前記第1ビット・ブロックが正確に受信されたかを特定するために用いられ、前記Pは1を超える正の整数である。
【００８９】
一実施例として、上記第2ノードにおける装置は、前記第1ビット・ブロックのCRCビット・ブロックは、前記第2ビット・ブロックを生成するために用いられる。
一実施例として、上記第2ノードにおける装置は、前記第2ノードはUEであり、前記第1ビット・ブロックは下り制御情報を含む、あるいは、前記第2ノードは基地局であり、前記第1ビット・ブロックは上り制御情報を含む。
【００９０】
一実施例として、既存方式と比べて、本出願は、以下の長所を有する。
・ポーラーコードの外部コード（outer code）としてCRC又はブロック符号を利用し、ポーラーコードの復号化の正確性を向上する。
・情報ビットによってマッピングされるサブチャネルの伝送信頼性に応じて情報ビットの外部コードにおける対応する冗長度を決定し、異なるサブチャネル上の情報ビットに対して等しくないエラー保護を実現し、信頼性の低いサブチャネル上で伝送される情報ビットについては、外部コードにおいて高レベルのエラー保護を使用することにより、その伝送性能を向上する。
・外部コードの検査ビットを利用して、polarの復号化手順で枝刈りを実現し、復号化複雑性を低減する。
・レガシーCRCの機能、即ちエラー検査及び目標レシーバー身分認証、をそのまま維持する。
［図面説明］
本出願の他の特徴、目的、および利点は、図面を参照しながら以下の非限定的な実施形態に対する詳細な説明からさらに明らかになる。
【図面の簡単な説明】
【００９１】
【図１】図1は、本出願の一実施例に係る無線伝送のフローチャートを示す。
【図２】図2は、本出願の他の一実施例に係る無線伝送のフローチャートを示す。
【図３】図3は、本出願の一実施例に係る第1ビット・ブロック及び第2ビット・ブロックのサブチャネル上でのマッピング関係の概念図を示す。
【図４】図4は、本出願の他の一実施例に係る第1ビット・ブロック及び第2ビット・ブロックのサブチャネル上でのマッピング関係の概念図を示す。
【図５】図5は、本出願の他の一実施例に係る第1ビット・ブロック及び第2ビット・ブロックのサブチャネル上でのマッピング関係の概念図を示す。
【図６】図6は、本出願の一実施例に係る{第1ビット・ブロック，第2ビット・ブロック}と第1無線信号との間の関係の概念図を示す。
【図７】図7は、本出願の一実施例に係る無線通信に用いる第1ノードにおける処理装置のブロック構成図を示す。
【図８】図8は、本出願の一実施例に係る無線通信に用いる第2ノードにおける処理装置のブロック構成図を示す。
【図９】図9は、本出願の一実施例に係る第1ビット・ブロック、チャネル符号化と第1無線信号のフローチャートを示す。
【図１０】図10は、本出願の一実施例に係るネットワーク・アーキテクチャの概念図を示す。
【図１１】図11は、本出願の一実施例に係るユーザー・プレーンと制御プレーンの無線プロトコル・アーキテクチャの実施例の概念図を示す。
【図１２】図12は、本出願の一実施例に係る進化したノード（evolved Node B、eNB）とUEの概念図を示す。
【発明を実施するための形態】
【００９２】
［実施例1］
実施例1は、図1に示すように、無線伝送のフローチャートを例示する。図1において、基地局N1はUE U2のサービング・セルを維持する基地局である。
【００９３】
N1は、ステップS11において第1無線信号を送信する。
U2は、ステップS21において第1無線信号を受信する。
実施例1において、第1ビット・ブロックにおけるビットは、前記N1によって第2ビット・ブロックにおけるビットを生成するために用いられる。前記第1ビット・ブロックにおけるビットと前記第2ビット・ブロックにおけるビットとは、いずれも前記N1によってチャネル符号化の入力に用いられる。前記チャネル符号化の出力は、前記N1によって前記第1無線信号を生成するために用いられる。前記チャネル符号化はポーラーコードに基づくものである。前記チャネル符号化について、目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連する。前記目標第1種類のビットは前記第1ビット・ブロックに属し、前記K個の第1種類のビットセットとK個の第2種類のビットとは一対一で対応し、前記K個の第2種類のビットは、前記第2ビット・ブロックにおける前記目標第1種類のビットに関連する全てのビットである。前記K個の第2種類のビットにおける任意の一つに対して、所定の第2種類のビットが与えられる。前記第1ビット・ブロックのうち、前記所定の第2種類のビットを生成するために用いられる全てのビットは、前記K個の第1種類のビットセットのうち前記所定の第2種類のビットに対応する第1種類のビットセットを構成し、前記Kは正の整数である。前記第1無線信号は、前記U2によってチャネル復号化の入力を生成するために用いられ、前記チャネル復号化に対応するチャネル符号化はポーラーコードに基づくものである。前記チャネル復号化の出力は、前記U2によって前記第1ビット・ブロックを復元するために用いられる。
【００９４】
一実施例として、前記サブチャネルは、Arikan polarエンコーダの入力ビット・シーケンスにおける位置である。
上記実施例の一サブ実施例として、前記入力ビット・シーケンスとpolar符号化行列と乗算され、得られた出力は前記チャネル符号化による出力となる。前記polar符号化行列は、ビット反転置換行列（bit reversal permutation matrix）と第1行列の積から得られ、前記第1行列はコアー行列のn次Kroneckerパワーであり、前記nは前記入力ビット・シーケンスの長さの2を底とする対数であり、前記コアー行列は2行2列の行列であり、1行目の二つの要素はそれぞれ1と0であり、2行目の二つの要素はともに1である。
【００９５】
一実施例として、前記目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連することは、前記目標第1種類のビットによって占有されるサブチャネルのチャネル容量は、{前記第2ビット・ブロックにおける前記目標ビットに関連するビットの数，K個の第1種類のビットセットにおけるビットの数}の少なくとも一つに関連することを意味する。
【００９６】
一実施例として、前記サブチャネルのチャネル容量は、サブチャネル上で伝送可能な情報レートの上限である。
一実施例として、前記第1ビット・ブロックにおける一部のビットは、前記第2ビット・ブロックにおけるビットと関係がない。
【００９７】
一実施例として、前記第1ビット・ブロックは、前記N1の物理レイヤ上で生成される。前記N1は、スケジューリング結果に応じて前記第1ビット・ブロックを生成する。
一実施例として、前記チャネル符号化の入力は、{前記第1ビット・ブロックにおける全てのビット,前記第2ビット・ブロックにおける全てのビット,第3ビット・ブロックにおける全てのビット}を含む。前記第3ビット・ブロックにおける全てのビットの値は、予め設定されたものである。
【００９８】
上記実施例の一サブ実施例として、前記第3ビット・ブロックにおける全てのビットは、いずれも0である。
上記実施例の一サブ実施例として、前記第3ビット・ブロックにおけるビットは、前記U2の識別子に関わる。
【００９９】
上記実施例の一サブ実施例として、前記U2の識別子は、前記第3ビット・ブロックにおけるビットを生成するために用いられる。
上記実施例の一サブ実施例として、前記U2の識別子はRNTI（Radio Network Temporary Identifier、無線ネットワーク一時識別子）である。
【０１００】
一実施例として、前記第1無線信号は、前記チャネル符号化の出力について、順次チャネル符号化（Channel Coding）、スクランブリング（Scrambling）、変調マッパー（Modulation Mapper）、レイヤ・マッパー（Layer Mapper）、プリコーディング（Precoding），リソース・エレメント・マッパー（Resource Element Mapper）、広帯域シンボル生成（Generation）を行ってからの出力である。
【０１０１】
一実施例として、前記広帯域信号はOFDM（Orthogonal Frequency Division Multiplexing、直交周波数分割多重）シンボルである。
一実施例として、前記広帯域信号はFBMC（Filter Bank Multi Carrier、フィルター・バンク・マルチ・キャリア）シンボルである。
【０１０２】
一実施例として、前記第2ビット・ブロックは、前記第1ビット・ブロック以外のビットと関係がない。
一実施例として、前記第2ビット・ブロックにおける前記目標第1種類のビットに関連するビットの数が大きいほど、前記目標第1種類のビットによって占有されるサブチャネルに対応するチャネル容量は低い。
【０１０３】
一実施例として、前記K個の第1種類のビットセットにおけるビットの数の和が小さいほど、前記目標第1種類のビットによって占有されるサブチャネルに対応するチャネル容量は低い。
【０１０４】
一実施例として、前記K個の第1種類のビットセットにおけるビットの数の逆数の和が大きいほど、前記目標第1種類のビットによって占有されるサブチャネルに対応するチャネル容量は低い。
【０１０５】
一実施例として、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。
【０１０６】
一実施例として、第1ビットセットにおける任意の一つのビットによってマッピングされるサブチャネルのチャネル容量は、第2ビットセットにおける任意の一つのビットによってマッピングされるサブチャネルのチャネル容量よりも大きい。前記第1ビット・ブロックにおけるビットは前記第1ビットセットに属し、前記第2ビット・ブロックにおけるビットは前記第2ビットセットに属する、あるいは、一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。
【０１０７】
一実施例として、前記第1ビット・ブロックのCRCビット・ブロックは、前記第2ビット・ブロックを生成するために用いられる。
一実施例として、前記第1ビット・ブロックは下り制御情報を含む。
【０１０８】
上記実施例の一サブ実施例として、前記下り制御情報は、対応するデータである{占有される時間領域リソース，占有される周波数領域リソース，MCS（Modulation and Coding Scheme、変調符号化方式），RV（Redundancy Version、冗長バージョン），NDI（New Data Indicator、新データ指示），HARQ（Hybrid Automatic Repeat Request、ハイブリッド自動再送要求）プロセス番号}の少なくとも一つを指示する。
【０１０９】
一実施例として、前記チャネル復号化は、前記U2によってP個の参照値を特定するために用いられ、前記P個の参照値と目標ビット・グループにおけるビットとは一対一で対応し、前記目標ビット・グループは、前記第1ビット・ブロックにおけるビットと前記第2ビット・ブロックにおけるビットからなり、前記第1ビット・ブロックにおけるビットの数と前記第2ビット・ブロックにおけるビットの数との和が前記Pである。前記P個の参照値のうち、前記第2ビット・ブロックにおけるビットに対応する参照値は、前記チャネル復号化において枝刈りに用いられる。前記P個の参照値と前記第2ビット・サブブロックにおけるビットに対応する参照値は、前記第1ビット・ブロックが正確に受信されたかを特定するために用いられ、前記Pは1を超える正の整数である。
［実施例2］
実施例2は、図2に示すように、無線伝送のフローチャートを例示する。図2において、基地局N3はUE U4のサービング・セルを維持する基地局である。
【０１１０】
N3は、ステップS31において第1無線信号を受信する。
U4は、ステップS41において第1無線信号を送信する。
実施例2において、第1ビット・ブロックにおけるビットは、前記U4によって第2ビット・ブロックにおけるビットを生成するために用いられる。前記第1ビット・ブロックにおけるビットと前記第2ビット・ブロックにおけるビットとは、いずれも前記U4によってチャネル符号化の入力に用いられ、前記チャネル符号化の出力は、前記U4によって前記第1無線信号を生成するために用いられる。前記チャネル符号化はポーラーコードに基づくものである。前記チャネル符号化について、目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連する。前記目標第1種類のビットは前記第1ビット・ブロックに属し、前記K個の第1種類のビットセットとK個の第2種類のビットとは一対一で対応し、前記K個の第2種類のビットは前記第2ビット・ブロックにおける前記目標第1種類のビットに関連する全てのビットである。前記K個の第2種類のビットにおける任意の一つに対して、所定の第2種類のビットが与えられる。前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。前記第1無線信号は、前記N3によってチャネル復号化の入力を生成するために用いられ、前記チャネル復号化に対応するチャネル符号化はポーラーコードに基づくものである。前記チャネル復号化の出力は、前記N3によって前記第1ビット・ブロックを復元するために用いられる。
【０１１１】
一実施例として、前記第1ビット・ブロックは、前記U4の物理レイヤ上で生成される。
一実施例として、前記U4は、前記N3のスケジューリング結果に応じて前記第1ビット・ブロックを生成する。
【０１１２】
一実施例として、前記第1無線信号は、前記チャネル符号化の出力について、順次スクランブリング、変調マッパー、レイヤ・マッパー、変換プリコーダ（transform precoder、複素数値信号を生成するために用いられる）、プリコーディング、リソース・エレメント・マッパー、広帯域シンボル生成を行ってからの出力である。
【０１１３】
一実施例として、前記第1ビット・ブロックは上り制御情報を含む。
上記実施例の一サブ実施例として、前記上り制御情報は、{HARQ-ACK（Acknowledgement、確認）、CSI（Channel State Information、チャネル状態情報），SR（Scheduling Request、スケジューリング・リクエスト），CRI(FD-MIMO resource indication)}の少なくとも一つを指示する。
［実施例3］
実施例3は、図3に示すように、第1ビット・ブロックと第2ビット・ブロックのサブチャネル上でのマッピング関係の概念図を例示する。
【０１１４】
実施例3において、前記第1ビット・ブロックにおけるビットは、前記第2ビット・ブロックにおけるビットを生成するために用いられる。前記第1ビット・ブロックにおけるビットと前記第2ビット・ブロックにおけるビットとは、いずれもチャネル符号化の入力に用いられ、前記チャネル符号化の出力は、第1無線信号を生成するために用いられる。前記チャネル符号化はポーラーコードに基づくものである。前記チャネル符号化について、前記第2ビット・ブロックにおける目標第1種類のビットに関連するビットの数が大きいほど、前記目標第1種類のビットによって占有されるサブチャネルに対応するチャネル容量は低い。前記目標第1種類のビットは前記第1ビット・ブロックに属する。
【０１１５】
図3において、前記第1ビット・ブロックは10個のビットを有し、前記第1ビット・ブロックにおけるビットはd(i)で表し、前記iは0以上かつ10未満の整数である。前記第2ビット・ブロックは3つのビットを有し、前記第2ビット・ブロックにおけるビットはp(j)で表し、前記jは0以上かつ3未満の整数である。前記目標第1種類のビットと前記第2ビット・ブロックにおける前記目標第1種類のビットに関連するビットとの間では実線で繋がる。
【０１１６】
一実施例として、前記第2ビット・ブロックにおける任意のビットについて、前記任意のビットは、前記第1ビット・ブロックにおける正の整数個のビットの和が2でモジュロ演算したものである。例えば、図3におけるp(0)は、d(0)とd(1)との和が2でモジュロ演算したものである。
【０１１７】
一実施例として、前記第2ビット・ブロックにおける任意のビットについて、前記任意のビットは、前記第1ビット・ブロックにおける正の整数個のビットの和が2でモジュロ演算し、さらにスクランブリング・シーケンスにおける対応するビットとXOR演算してから得られるものである。例えば、図3におけるp(0)は、d(0)とd(1)との和が2でモジュロ演算し、さらにスクランブリング・シーケンスにおける対応するビットとXOR演算してから得られるものである。
【０１１８】
一実施例として、前記第2ビット・ブロックは、前記第1ビット・ブロック以外のビットと関係がない。
一実施例として、第1所定のビットによって占有されるサブチャネルのチャネル容量は、第2所定のビットによって占有されるサブチャネルのチャネル容量よりも小さい。前記第1所定のビットと前記第2所定のビットとは、いずれも前記第1ビット・ブロックに属し、前記第2ビット・ブロックにおける前記第1所定のビットに関連するビットの数は、前記第2ビット・ブロックにおける前記第2所定のビットに関連するビットの数よりも大きい。例えば、図3におけるd(0)は{p(0)，p(1)，p(2)}に関連し、図3におけるd(2)は{p(1)，p(2)}に関連し、図3におけるd(4)はp(2)に関連し、d(0)によって占有されるサブチャネルのチャネル容量は、d(2)によって占有されるサブチャネルのチャネル容量よりも小さく、d(2)によって占有されるサブチャネルのチャネル容量は、d(4)によって占有されるサブチャネルのチャネル容量よりも小さい。
【０１１９】
一実施例として、前記第1ビット・ブロックにおける一部のビットは、前記第2ビット・ブロックにおけるビットと関係がない。例えば、図3において、{d(6)，d(7)，d(8)，d(9)}（即ち、右斜線で塗りつぶされたブロック及び交差線で塗りつぶされたブロック）は、前記第2ビット・ブロックにおけるビットと関係がない。
【０１２０】
一実施例として、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。図3において、左斜線で塗りつぶされたブロックと右斜線で塗りつぶされたブロックは、前記第1ビット・サブブロックを示し、交差線で塗りつぶされたブロックは前記第2ビット・サブブロックを示す。
【０１２１】
一実施例として、前記第2ビット・サブブロックにおけるビットは、前記第2ビット・ブロックにおけるビットと関係がない。例えば、図3において、{d(8)，d(9)}（即ち、交差線で塗りつぶされたブロック）は、前記第2ビット・ブロックにおけるビットと関係がない。
【０１２２】
一実施例として、前記第1ビット・サブブロックにおける一部のビットは、前記第2ビット・ブロックにおけるビットを生成するために用いられ、前記第1ビット・サブブロックにおける他の一部のビットは、前記第2ビット・ブロックにおけるビットと関係がない。図3において、左斜線で塗りつぶされたブロックは、前記第1ビット・サブブロックのうち前記第2ビット・ブロックを生成するために用いられるビットを示し、右斜線で塗りつぶされたブロックは、前記第1ビット・サブブロックのうち前記第2ビット・ブロックにおけるビットと関係がないビットを示す。
【０１２３】
一実施例として、第1ビットセットにおける任意の一つのビットによってマッピングされるサブチャネルのチャネル容量は、第2ビットセットにおける任意の一つのビットによってマッピングされるサブチャネルのチャネル容量よりも大きい。一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。例えば、図3において、{d(0)，d(1)，d(2)，d(3)，d(4)，d(5)，p(0)，p(1)，p(2)}（即ち、左斜線で塗りつぶされたブロック及び前記第2ビット・ブロックにおけるビット）は前記第2ビットセットに属し、{d(6)，d(7)，d(8)，d(9)}（即ち、右斜線で塗りつぶされたブロック及び交差線で塗りつぶされたブロック）は前記第1ビットセットに属する。
【０１２４】
上記実施例の一サブ実施例として、前記第1ビットセットと前記第2ビットセットとで、共通ビットが存在しない。
上記実施例の一サブ実施例として、任意の一つの前記第1ビット・ブロックにおけるビットは{前記第1ビットセット，前記第2ビットセット}の一つに属し、任意の一つの前記第2ビット・ブロックにおけるビットは{前記第1ビットセット，前記第2ビットセット}の一つに属する。
【０１２５】
上記実施例の一サブ実施例として、前記一部の前記第1ビット・ブロックにおけるビットと前記他の一部の前記第1ビット・ブロックにおけるビットとは、前記第1ビット・ブロックを構成する。
【０１２６】
上記実施例の一サブ実施例として、前記他の一部の前記第1ビット・ブロックにおけるビットは、前記第2ビット・ブロックにおけるビットを生成するために用いられ、前記一部の前記第1ビット・ブロックにおけるビットは、前記第2ビット・ブロックにおけるビットと関係がない。例えば、図3において、{d(0)，d(1)，d(2)，d(3)，d(4)，d(5)}（即ち、左斜線で塗りつぶされたブロック）は、前記第2ビット・ブロックにおけるビットを生成するために用いられ、{d(6)，d(7)，d(8)，d(9)}（即ち、右斜線で塗りつぶされたブロック及び交差線で塗りつぶされたブロック）は、前記第2ビット・ブロックにおけるビットと関係がない。
［実施例4］
実施例4は、図4に示すように、第1ビット・ブロックと第2ビット・ブロックのサブチャネル上でのマッピング関係の概念図を例示する。
【０１２７】
実施例4において、前記第1ビット・ブロックにおけるビットは、前記第2ビット・ブロックにおけるビットを生成するために用いられる。前記第1ビット・ブロックにおけるビットと前記第2ビット・ブロックにおけるビットとは、いずれもチャネル符号化の入力に用いられ、前記チャネル符号化の出力は、第1無線信号を生成するために用いられる。前記チャネル符号化はポーラーコードに基づくものである。前記チャネル符号化について、前記K個の第1種類のビットセットにおけるビットの数の和が小さいほど、目標第1種類のビットによって占有されるサブチャネルに対応するチャネル容量は低い。前記目標第1種類のビットは前記第1ビット・ブロックに属し、前記K個の第1種類のビットセットとK個の第2種類のビットとは一対一で対応し、前記K個の第2種類のビットは前記第2ビット・ブロックにおける前記目標第1種類のビットに関連する全てのビットである。前記K個の第2種類のビットにおける任意の一つに対して、所定の第2種類のビットが与えられる。前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。
【０１２８】
図4において、前記第1ビット・ブロックは10個のビットを有し、前記第1ビット・ブロックにおけるビットはd(i)で表し、前記iは0以上かつ10未満の整数であり、前記第2ビット・ブロックは3つのビットを有し、前記第2ビット・ブロックにおけるビットはp(j)で表し、前記jは0以上かつ3未満の整数である。前記目標第1種類のビットと前記第2ビット・ブロックにおける前記目標第1種類のビットに関連するビットとの間では実線で繋がる。
【０１２９】
一実施例として、前記第2ビット・ブロックにおける任意のビットについて、前記任意のビットは、前記第1ビット・ブロックにおける正の整数個のビットの和が2でモジュロ演算したものと等しい。例えば、図4におけるp(0)は、d(0)が2でモジュロ演算したものと等しい。図4におけるp(1)は、d(1)とd(2)との和が2でモジュロ演算したものと等しい。
【０１３０】
一実施例として、前記第2ビット・ブロックにおける任意のビットについて、前記任意のビットは、前記第1ビット・ブロックにおける正の整数個のビットの和が2でモジュロ演算し、さらにスクランブリング・シーケンスにおける対応するビットとXOR演算してから得られるものである。例えば、図4におけるp(0)は、d(0)が2でモジュロ演算し、さらにスクランブリング・シーケンスにおける対応するビットとXOR演算してから得られるものである。図4におけるp(1)は、d(1)とd(2)との和が2でモジュロ演算し、さらにスクランブリング・シーケンスにおける対応するビットとXOR演算してから得られるものである。
【０１３１】
一実施例として、前記第2ビット・ブロックは、前記第1ビット・ブロック以外のビットと関係がない。
一実施例として、前記Kは1と等しい。
【０１３２】
一実施例として、前記Kは1を超える。
一実施例として、前記Kはそのまま変わらない。
一実施例として、K1個の第1種類のビットセットにおけるビットの数の和が、K2個の第1種類のビットセットにおけるビットの数の和よりも小さい。前記K1個の第1種類のビットセットとK1個の第2種類のビットとは一対一で対応し、前記K1個の第2種類のビットは、前記第2ビット・ブロックにおける第1所定のビットに関連する全てのビットである。前記K2個の第1種類のビットセットとK2個の第2種類のビットとは一対一で対応し、前記K2個の第2種類のビットは、前記第2ビット・ブロックにおける第2所定のビットに関連する全てのビットである。前記K1和前記K2は、それぞれ正の整数である。前記第1所定のビットによって占有されるサブチャネルのチャネル容量は、前記第2所定のビットによって占有されるサブチャネルのチャネル容量よりも小さい。前記第1所定のビットと前記第2所定のビットとは、いずれも前記第1ビット・ブロックに属する。例えば、図4において、前記第1所定のビットはd(0)であり、前記第2所定のビットはd(1)であり、前記K1個の第1種類のビットセットはd(0)であり、前記K1は1であり、前記K2個の第1種類のビットセットは{d(1),d(2)}であり、前記K2は1である。前記K1個の第1種類のビットセットにおけるビットの数の和が1であり、前記K2個の第1種類のビットセットにおけるビットの数の和が2であり、d(0)によって占有されるサブチャネルのチャネル容量は、d(1)によって占有されるサブチャネルのチャネル容量よりも小さい。
【０１３３】
一実施例として、前記K1は前記K2と等しい。
一実施例として、前記第1ビット・ブロックにおける一部のビットは、前記第2ビット・ブロックにおけるビットと関係がない。例えば、図4において、{d(4)，d(5)，d(6)，d(7)}（即ち、右斜線で塗りつぶされたブロック）は、前記第2ビット・ブロックにおけるビットと関係がない。
【０１３４】
一実施例として、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。図4において、左斜線で塗りつぶされたブロックと右斜線で塗りつぶされたブロックは、前記第1ビット・サブブロックを示し、交差線で塗りつぶされたブロックは、前記第2ビット・サブブロックを示す。
【０１３５】
一実施例として、前記第1ビット・サブブロックにおける一部のビットは、前記第2ビット・ブロックにおけるビットを生成するために用いられ、前記第1ビット・サブブロックにおける他の一部のビットは、前記第2ビット・ブロックにおけるビットと関係がない。図4において、左斜線で塗りつぶされたブロックと交差線で塗りつぶされたブロックとは、前記第2ビット・ブロックにおけるビットを生成するために用いられ、右斜線で塗りつぶされたブロックは、前記第2ビット・ブロックにおけるビットと関係がないビットである。
【０１３６】
一実施例として、第1ビットセットにおける任意の一つのビットによってマッピングされるサブチャネルのチャネル容量は、第2ビットセットにおける任意の一つのビットによってマッピングされるサブチャネルのチャネル容量よりも大きい。一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。例えば、図4において、{d(0)，d(1)，d(2)，d(3)，d(8)，d(9)，p(0)，p(1)，p(2)}（即ち、左斜線で塗りつぶされたブロック、交差線で塗りつぶされたブロック、及び前記第2ビット・ブロックにおけるビット）は前記第2ビットセットに属し、{d(4)，d(5)，d(6)，d(7)}（即ち、右斜線で塗りつぶされたブロック）は前記第1ビットセットに属する。
【０１３７】
上記実施例の一サブ実施例として、前記第1ビットセットと前記第2ビットセットとで、共通ビットが存在しない。
上記実施例の一サブ実施例として、任意の一つの前記第1ビット・ブロックにおけるビットは、{前記第1ビットセット，前記第2ビットセット}の一つに属し、任意の一つの前記第2ビット・ブロックにおけるビットは、{前記第1ビットセット，前記第2ビットセット}の一つに属する。
【０１３８】
上記実施例の一サブ実施例として、前記一部の前記第1ビット・ブロックにおけるビットと前記他の一部の前記第1ビット・ブロックにおけるビットとは、前記第1ビット・ブロックを構成する。
【０１３９】
上記実施例の一サブ実施例として、前記他の一部の前記第1ビット・ブロックにおけるビットは、前記第2ビット・ブロックにおけるビットを生成するために用いられ、前記一部の前記第1ビット・ブロックにおけるビットは、前記第2ビット・ブロックにおけるビットと関係がない。例えば、図4において、{d(0)，d(1)，d(2)，d(3)，d(8)，d(9)}（即ち、左斜線で塗りつぶされたブロックと交差線で塗りつぶされたブロック）は、前記第2ビット・ブロックにおけるビットを生成するために用いられ、{d(4)，d(5)，d(6)，d(7)}（即ち、右斜線で塗りつぶされたブロック）は、前記第2ビット・ブロックにおけるビットと関係がない。
［実施例5］
実施例5は、図5に示すように、第1ビット・ブロックと第2ビット・ブロックのサブチャネル上でのマッピング関係の概念図を例示する。
【０１４０】
実施例5において、前記第1ビット・ブロックにおけるビットは、前記第2ビット・ブロックにおけるビットを生成するために用いられる。前記第1ビット・ブロックにおけるビットと前記第2ビット・ブロックにおけるビットとは、いずれもチャネル符号化の入力に用いられ、前記チャネル符号化の出力は、第1無線信号を生成するために用いられる。前記チャネル符号化はポーラーコードに基づくものである。前記チャネル符号化について、前記K個の第1種類のビットセットにおけるビットの数の逆数の和が大きいほど、目標第1種類のビットによって占有されるサブチャネルに対応するチャネル容量は低い。前記目標第1種類のビットは前記第1ビット・ブロックに属し、前記K個の第1種類のビットセットとK個の第2種類のビットとは一対一で対応し、前記K個の第2種類のビットは、前記第2ビット・ブロックにおける前記目標第1種類のビットに関連する全てのビットである。前記K個の第2種類のビットにおける任意の一つに対して、所定の第2種類のビットが与えられる。前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。
【０１４１】
図5において、前記第1ビット・ブロックは10個のビットを有し、前記第1ビット・ブロックにおけるビットはd(i)で表し、前記iは0以上かつ10未満の整数である。前記第2ビット・ブロックは4つのビットを有し、前記第2ビット・ブロックにおけるビットはp(j)で表し、前記jは0以上かつ4未満の整数である。前記目標第1種類のビットと前記第2ビット・ブロックにおける前記目標第1種類のビットに関連するビットとの間では実線で繋がる。
【０１４２】
一実施例として、前記第2ビット・ブロックにおける任意のビットについて、前記任意のビットは、前記第1ビット・ブロックにおける正の整数個のビットの和が2でモジュロ演算したものと等しい。例えば、図5におけるp(0)は、d(0)とd(2)との和が2でモジュロ演算したものと等しい。
【０１４３】
一実施例として、前記第2ビット・ブロックにおける任意のビットについて、前記任意のビットは、前記第1ビット・ブロックにおける正の整数個のビットの和が2でモジュロ演算し、さらにスクランブリング・シーケンスにおける対応するビットとXOR演算してから得られるものである。例えば、図5におけるp(0)は、d(0)とd(2)との和が2でモジュロ演算し、さらにスクランブリング・シーケンスにおける対応するビットとXOR演算してから得られるものである。
【０１４４】
一実施例として、前記第2ビット・ブロックは、前記第1ビット・ブロック以外のビットと関係がない。
一実施例として、前記Kは1と等しい。
【０１４５】
一実施例として、前記Kは1を超える。
一実施例として、前記Kはそのまま変わらない。
一実施例として、K1個の第1種類のビットセットにおけるビットの数の逆数の和が、K2個の第1種類のビットセットにおけるビットの数の逆数の和よりも大きい。前記K1個の第1種類のビットセットとK1個の第2種類のビットとは一対一で対応し、前記K1個の第2種類のビットは、前記第2ビット・ブロックにおける第1所定のビットに関連する全てのビットである。前記K2個の第1種類のビットセットとK2個の第2種類のビットとは一対一で対応し、前記K2個の第2種類のビットは、前記第2ビット・ブロックにおける第2所定のビットに関連する全てのビットである。前記K1と前記K2とは、それぞれ正の整数である。前記第1所定のビットによって占有されるサブチャネルのチャネル容量は、前記第2所定のビットによって占有されるサブチャネルのチャネル容量よりも小さい。前記第1所定のビットと前記第2所定のビットとは、いずれも前記第1ビット・ブロックに属する。例えば、図5において、前記第1所定のビットはd(0)であり、前記第2所定のビットはd(1)であり、前記K1個の第1種類のビットセットは{d(0)，d(2)}と{d(0)，d(4)}であり、前記K1は2である。前記K2個の第1種類のビットセットは{d(1)}と{d(1)，d(2)，d(3)，d(5)}であり、前記K2は2である。前記K1個の第1種類のビットセットにおけるビットの数の逆数の和が1であり、前記K2個の第1種類のビットセットにおけるビットの数の和が1.25であり、d(0)によって占有されるサブチャネルのチャネル容量は、d(1)によって占有されるサブチャネルのチャネル容量よりも大きい。
【０１４６】
一実施例として、前記K1は前記K2と等しい。
一実施例として、前記第1ビット・ブロックにおける一部のビットは、前記第2ビット・ブロックにおけるビットと関係がない。例えば、図5において、{d(6)，d(7)，d(8)，d(9)}（即ち、右斜線で塗りつぶされたブロックと交差線で塗りつぶされたブロック）は、前記第2ビット・ブロックにおけるビットと関係がない。
【０１４７】
一実施例として、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。図5において、左斜線で塗りつぶされたブロックと右斜線で塗りつぶされたブロックは、前記第1ビット・サブブロックを示し、交差線で塗りつぶされたブロックは、前記第2ビット・サブブロックを示す。
【０１４８】
一実施例として、前記第2ビット・サブブロックにおけるビットは、前記第2ビット・ブロックにおけるビットと関係がない。例えば、図5において、{d(8)，d(9)}（即ち、交差線で塗りつぶされたブロック）は、前記第2ビット・ブロックにおけるビットと関係がない。
【０１４９】
一実施例として、前記第1ビット・サブブロックにおける一部のビットは、前記第2ビット・ブロックにおけるビットを生成するために用いられ、前記第1ビット・サブブロックにおける他の一部のビットは、前記第2ビット・ブロックにおけるビットと関係がない。図5において、左斜線で塗りつぶされたブロックは、前記第1ビット・サブブロックのうち前記第2ビット・ブロックを生成するために用いられるビットを示し、右斜線で塗りつぶされたブロックは、前記第1ビット・サブブロックのうち前記第2ビット・ブロックにおけるビットと関係がないビットを示す。
【０１５０】
一実施例として、第1ビットセットにおける任意の一つのビットによってマッピングされるサブチャネルのチャネル容量は、第2ビットセットにおける任意の一つのビットによってマッピングされるサブチャネルのチャネル容量よりも大きい。一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。例えば、図5において、{d(0)，d(1)，d(2)，d(3)，d(4)，d(5)，p(0)，p(1)，p(2)，p(3)}（即ち、左斜線で塗りつぶされたブロックと前記第2ビット・ブロックにおけるビット）は前記第2ビットセットに属し、{d(6)，d(7)，d(8)，d(9)}（右斜線で塗りつぶされたブロックと交差線で塗りつぶされたブロック）は前記第1ビットセットに属する。
【０１５１】
上記実施例の一サブ実施例として、前記第1ビットセットと前記第2ビットセットとで、共通ビットが存在しない。
上記実施例の一サブ実施例として、任意の一つの前記第1ビット・ブロックにおけるビットは{前記第1ビットセット，前記第2ビットセット}における一つに属し、任意の一つの前記第2ビット・ブロックにおけるビットは{前記第1ビットセット，前記第2ビットセット}における一つに属する。
【０１５２】
上記実施例の一サブ実施例として、前記一部の前記第1ビット・ブロックにおけるビットと前記他の一部の前記第1ビット・ブロックにおけるビットは、前記第1ビット・ブロックを構成する。
【０１５３】
上記実施例の一サブ実施例として、前記他の一部の前記第1ビット・ブロックにおけるビットは、前記第2ビット・ブロックにおけるビットを生成するために用いられ、前記一部の前記第1ビット・ブロックにおけるビットは、前記第2ビット・ブロックにおけるビットと関係がない。例えば、図5において、{d(0)，d(1)，d(2)，d(3)，d(4)，d(5)}（即ち、左斜線で塗りつぶされたブロック）は、前記第2ビット・ブロックにおけるビットを生成するために用いられ、{d(6)，d(7)，d(8)，d(9)}（即ち、右斜線で塗りつぶされたブロックと交差線で塗りつぶされたブロック）は、前記第2ビット・ブロックにおけるビットと関係がない。
【０１５４】
一実施例として、前記第1ビット・ブロックにおけるビットは前記第1ビットセットに属し、前記第2ビット・ブロックにおけるビットは前記第2ビットセットに属する。例えば、図5において、{d(0)，d(1)，d(2)，d(3)，d(4)，d(5)，d(6)，d(7)，d(8)，d(9)}は前記第1ビットセットに属し、{p(0)，p(1)，p(2)，p(3)}は前記第1ビットセットに属する。
［実施例6］
実施例6は、図6に示すように、{第1ビット・ブロック，第2ビット・ブロック}と第1無線信号との間の関係の概念図を例示する。
【０１５５】
実施例6において、第1ノードでは、前記第1ビット・ブロックにおけるビットは、前記第2ビット・ブロックにおけるビットを生成するために用いられる。前記第1ビット・ブロックにおけるビットと前記第2ビット・ブロックにおけるビットとは、いずれもチャネル符号化の入力に用いられ、前記チャネル符号化の出力は、前記第1無線信号を生成するために用いられる。前記チャネル符号化はポーラーコードに基づくものである。前記第1ビット・ブロックは第1ビット・サブブロックと第2ビット・サブブロックを含み、前記第1ビット・サブブロックのCRCビット・ブロックは、前記第2ビット・サブブロックを生成するために用いられる。第2ノードでは、前記第1無線信号は、チャネル復号化の入力を生成するために用いられ、前記チャネル復号化に対応するチャネル符号化はポーラーコードに基づくものである。前記チャネル復号化は、P個の参照値を特定するために用いられ、前記P個の参照値と目標ビット・グループにおけるビットとは一対一で対応し、前記目標ビット・グループは、前記第1ビット・ブロックにおけるビットと前記第2ビット・ブロックにおけるビットとからなり、前記第1ビット・ブロックにおけるビットの数と前記第2ビット・ブロックにおけるビットの数との和が前記Pである。前記P個の参照値のうち、前記第2ビット・ブロックにおけるビットに対応する参照値は、前記チャネル復号化において枝刈りに用いられる。前記P個の参照値のうち、前記第2ビット・サブブロックにおけるビットに対応する参照値は、前記第1ビット・ブロックが正確に受信されたかを特定するために用いられ、前記Pは1を超える正の整数である。
【０１５６】
図6において、前記第1ビット・ブロックは8つのビットを有し、前記第1ビット・ブロックにおけるビットはd(i)で表し、前記iは0以上かつ8未満の整数である。前記第2ビット・ブロックは4つのビットを有し、前記第2ビット・ブロックにおけるビットはp(j)で表し、前記jは0以上かつ4未満の整数である。前記第1ビット・ブロックにおける一つのビットとそれの前記第2ビット・ブロックにおける関連するビットとの間では、実線で繋がる。デコーダのツリー図は、前記チャネル復号化におけるビット{d（0），d（3），p（0）}に関連する経路の一部を表す。左斜線で塗りつぶされたブロックは、前記第1ビット・サブブロックを示し、交差線で塗りつぶされたブロックは、前記第2ビット・サブブロックを示す。
【０１５７】
一実施例として、前記P個の参照値は、それぞれ対応する（送信された）ビットについて復元（受信）されたビットである。
一実施例として、前記P個の参照値は、それぞれ対応する（送信された）ビットについて復元（受信）されたソフト・ビットである。
【０１５８】
一実施例として、前記P個の参照値は、それぞれ対応する（送信された）ビットについて推定されたLLR（Log Likelihood Ratio、対数尤度比）である。
一実施例として、前記枝刈りは、Viterbi基準に基づく前記チャネル復号化において残存のサーチ・パスを削減するために用いられる。例えば、図6のツリー図において、太い実線によって表すパスは残存のサーチ・パスであり、その他のパスは枝刈りされたサーチ・パスである
一実施例として、所定の参照値は、前記P個の参照値のうち枝刈りに用いる参照値である。前記所定の参照値について、枝刈りされるサーチ・パスに対応するビットは、所定の第2種類のビットに関連し、前記所定の第2種類のビットは、前記第2ビット・ブロックのうち前記所定の参照値に対応するビットである。例えば、図6において、p(0)に対応する参照値は図6においてp’(0)で表し、前記チャネル復号化において枝刈りに用いられる。枝刈りされるサーチ・パスに対応するビットは{d(0)，d(2)}である。{d(0)，d(2)}は、p(0)に関連する。
【０１５９】
上記実施例の一サブ実施例として、前記所定の参照値について、枝刈りされるサーチ・パスに対応するビットは、前記所定の第2種類のビットを生成するために用いられる。例えば、図6において、{d(0)，d(2)}はp(0)を生成するために用いられる。
【０１６０】
上記実施例の一サブ実施例として、前記所定の参照値について、枝刈りされるサーチ・パスに対応するビットの和が2でモジュロ演算して、前記所定の第2種類のビットが得られる。例えば、図6において、{d(0)，d(2)}の和が2でモジュロ演算してp(0)が得られる。
【０１６１】
上記実施例の一サブ実施例として、前記所定の参照値について、枝刈りされるサーチ・パスに対応するビットの和が2でモジュロ演算し、さらにスクランブリング・シーケンスにおける対応するビットとXOR演算してから、前記所定の第2種類のビットが得られる。例えば、図6において、{d(0)，d(2)}の和が2でモジュロ演算し、さらにスクランブリング・シーケンスにおける対応するビットとXOR演算してから、p(0)が得られる。
【０１６２】
一実施例として、前記P個の参照値のうち、前記第2ビット・サブブロックにおけるビットに対応する参照値は、前記第1無線信号の目標受信者の識別子を指示するために用いられる。
【０１６３】
一実施例として、前記P個の参照値のうち、前記第2ビット・サブブロックにおけるビットに対応する参照値は、前記第1ノードの識別子を指示するために用いられる。
一実施例として、前記P個の参照値のうち前記第2ビット・サブブロックにおけるビットに対応する参照値及び前記P個の参照値のうち前記第1ビット・サブブロックにおけるビットに対応する参照値は、ともにCRC検査を行い、検査結果が正確である場合、前記第1ビット・ブロックが正確に復元されたと判断し、そうではない場合、前記第1ビット・ブロックが正確に復元されていないと判断する。
【０１６４】
一実施例として、前記チャネル符号化の入力は、{前記第1ビット・ブロックにおける全てのビット,前記第2ビット・ブロックにおける全てのビット,第3ビット・ブロックにおける全てのビット}を含む。前記第3ビット・ブロックにおける全てのビットの値は、予め設定されたものである。
【０１６５】
上記実施例の一サブ実施例として、前記第3ビット・ブロックにおける全てのビットは、いずれも0である。
上記実施例の一サブ実施例として、前記第3ビット・ブロックにおけるビットは、前記第1無線信号の目標受信者の識別子に関わる。
【０１６６】
上記実施例の一サブ実施例として、前記第1無線信号の目標受信者の識別子は、前記第3ビット・ブロックにおけるビットを生成するために用いられる。
［実施例7］
実施例7は、図7に示すように、無線通信に用いる第1ノードにおける処理装置のブロック構成図を例示する。
【０１６７】
図7において、第1ノード装置200は、主に第1プロセッサ201、第2プロセッサ202及び第1トランスミッタ203からなる。
第1プロセッサ201は第1ビット・ブロックを生成する。第2プロセッサ202はチャネル符号化を実行する。第1トランスミッタ203は第1無線信号を送信する。
【０１６８】
実施例7において、前記第1ビット・ブロックにおけるビットは、前記第1プロセッサ201によって第2ビット・ブロックにおけるビットを生成するために用いられる。前記第1ビット・ブロックにおけるビットと前記第2ビット・ブロックにおけるビットとは、いずれも前記第2プロセッサ202によって前記チャネル符号化の入力に用いられ、前記チャネル符号化の出力は、前記第1トランスミッタ203によって前記第1無線信号を生成するために用いられる。前記チャネル符号化はポーラーコードに基づくものである。前記チャネル符号化について、目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連する。前記目標第1種類のビットは前記第1ビット・ブロックに属し、前記K個の第1種類のビットセットとK個の第2種類のビットとは一対一で対応し、前記K個の第2種類のビットは、前記第2ビット・ブロックにおける前記目標第1種類のビットに関連する全てのビットである。前記K個の第2種類のビットにおける任意の一つに対して、所定の第2種類のビットが与えられる。前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。
【０１６９】
一実施例として、前記第2ビット・ブロックにおける前記目標第1種類のビットに関連するビットの数が大きいほど、前記目標第1種類のビットによって占有されるサブチャネルに対応するチャネル容量は低い。
【０１７０】
一実施例として、前記K個の第1種類のビットセットにおけるビットの数の和が小さいほど、前記目標第1種類のビットによって占有されるサブチャネルに対応するチャネル容量は低い。
【０１７１】
一実施例として、前記K個の第1種類のビットセットにおけるビットの数の逆数の和が大きいほど、前記目標第1種類のビットによって占有されるサブチャネルに対応するチャネル容量は低い。
【０１７２】
一実施例として、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。
【０１７３】
一実施例として、第1ビットセットにおける任意の一つのビットによってマッピングされるサブチャネルのチャネル容量は、第2ビットセットにおける任意の一つのビットによってマッピングされるサブチャネルのチャネル容量よりも大きい。前記第1ビット・ブロックにおけるビットは前記第1ビットセットに属し、前記第2ビット・ブロックにおけるビットは前記第2ビットセットに属する、あるいは、一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。
【０１７４】
一実施例として、前記第1ビット・ブロックのCRCビット・ブロックは、前記第2ビット・ブロックを生成するために用いられる。
一実施例として、前記第1ノードは基地局であり、前記第1ビット・ブロックは下り制御情報を含む、あるいは、前記第1ノードはUEであり、前記第1ビット・ブロックは上り制御情報を含む。
［実施例8］
実施例8は、図8に示すように、無線通信に用いる第2ノードにおける処理装置のブロック構成図を例示する。
【０１７５】
図8において、第2ノード装置300は、主に第1レシーバー301、第3プロセッサ302及び第4プロセッサ303からなる。
第1レシーバー301は第1無線信号を受信する。第3プロセッサ302はチャネル復号化を実行する。第4プロセッサ303は第1ビット・ブロックを復元する。
【０１７６】
実施例8において、前記チャネル復号化に対応するチャネル符号化はポーラーコードに基づくものである。前記第1ビット・ブロックにおけるビットは、第2ビット・ブロックにおけるビットを生成するために用いられる。前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられる。前記チャネル符号化について、目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連する。前記目標第1種類のビットは前記第1ビット・ブロックに属し、前記K個の第1種類のビットセットとK個の第2種類のビットとは一対一で対応し、前記K個の第2種類のビットは、前記第2ビット・ブロックにおける前記目標第1種類のビットに関連する全てのビットである。前記K個の第2種類のビットにおける任意の一つに対して、所定の第2種類のビットが与えられる。前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。
【０１７７】
一実施例として、前記チャネル復号化の出力は、前記第4プロセッサ303によって前記第1ビット・ブロックを復元するために用いられる。
一実施例として、前記第2ビット・ブロックにおける前記目標第1種類のビットに関連するビットの数が大きいほど、前記目標第1種類のビットによって占有されるサブチャネルに対応するチャネル容量は低い。
【０１７８】
一実施例として、前記K個の第1種類のビットセットにおけるビットの数の和が小さいほど、前記目標第1種類のビットによって占有されるサブチャネルに対応するチャネル容量は低い。
【０１７９】
一実施例として、前記K個の第1種類のビットセットにおけるビットの数の逆数の和が大きいほど、前記目標第1種類のビットによって占有されるサブチャネルに対応するチャネル容量は低い。
【０１８０】
一実施例として、前記第1ビット・ブロックは第1ビット・サブブロックと第2ビット・サブブロックを含み、前記第1ビット・サブブロックのCRCビット・ブロックは、前記第2ビット・サブブロックを生成するために用いられる。
【０１８１】
一実施例として、第1ビットセットにおける任意の一つのビットによってマッピングされるサブチャネルのチャネル容量は、第2ビットセットにおける任意の一つのビットによってマッピングされるサブチャネルのチャネル容量よりも大きい。前記第1ビット・ブロックにおけるビットは前記第1ビットセットに属し、前記第2ビット・ブロックにおけるビットは前記第2ビットセットに属する、あるいは、一部の前記第1ビット・ブロックにおけるビットは前記第1ビットセットに属し、{他の一部の前記第1ビット・ブロックにおけるビット，前記第2ビット・ブロックにおけるビット}は前記第2ビットセットに属する。
【０１８２】
一実施例として、前記チャネル復号化は、P個の参照値を特定するために用いられ、前記P個の参照値と目標ビット・グループにおけるビットとは一対一で対応し、前記目標ビット・グループは、前記第1ビット・ブロックにおけるビットと前記第2ビット・ブロックにおけるビットからなり、前記第1ビット・ブロックにおけるビットの数と前記第2ビット・ブロックにおけるビットの数との和が前記Pである。前記P個の参照値のうち、前記第2ビット・ブロックにおけるビットに対応する参照値は、前記チャネル復号化において枝刈りに用いられる。前記P個の参照値のうち、前記第2ビット・サブブロックにおけるビットに対応する参照値は、前記第1ビット・ブロックが正確に受信されたかを特定するために用いられ、前記Pは1を超える正の整数である。
【０１８３】
一実施例として、前記第1ビット・ブロックのCRCビット・ブロックは、前記第2ビット・ブロックを生成するために用いられる。
一実施例として、前記第2ノードはUEであり、前記第1ビット・ブロックは下り制御情報を含む、あるいは、前記第2ノードは基地局であり、前記第1ビット・ブロックは上り制御情報を含む。
［実施例9］
実施例9は、図9に示すように、第1ビット・ブロック、チャネル符号化及び第1無線信号のフローチャートを例示する。
【０１８４】
実施例9において、本出願における前記第1ノードは、第1ビット・ブロックを特定し、チャネル符号化を実行し、そして第1無線信号を送信する。ここで、前記第1ビット・ブロックにおけるビットは、第2ビット・ブロックにおけるビットを生成するために用いられ、前記第1ビット・ブロックにおけるビットと前記第2ビット・ブロックにおけるビットとは、いずれも前記チャネル符号化の入力に用いられ、前記チャネル符号化の出力は、前記第1無線信号を生成するために用いられる。前記チャネル符号化はポーラーコードに基づくものである。前記チャネル符号化について、目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連し、前記目標第1種類のビットは前記第1ビット・ブロックに属する。前記K個の第1種類のビットセットとK個の第2種類のビットとは一対一で対応し、前記K個の第2種類のビットは、前記第2ビット・ブロックにおける前記目標第1種類のビットに関連する全てのビットである。前記K個の第2種類のビットにおける任意の一つに対して、所定の第2種類のビットが与えられる。前記第1ビット・ブロックのうち、前記所定の第2種類のビットを生成するために用いられる全てのビットは、前記K個の第1種類のビットセットにおける前記所定の第2種類のビットに対応する第1種類のビットセットを構成し、前記Kは正の整数である。
【０１８５】
一実施例として、前記サブチャネルは、Arikan polarエンコーダの入力ビット・シーケンスにおける位置である。
上記実施例の一サブ実施例として、前記入力ビット・シーケンスとpolar符号化行列と乗算され、得られた出力は前記チャネル符号化による出力となる。前記polar符号化行列は、ビット反転置換行列（bit reversal permutation matrix）と第1行列の積から得られ、前記第1行列はコアー行列のn次Kroneckerパワーであり、前記nは前記入力ビット・シーケンスの長さの2を底とする対数であり、前記コアー行列は2行2列の行列であり、1行目の二つの要素はそれぞれ1と0であり、2行目の二つの要素はともに1である。
【０１８６】
一実施例として、前記目標第1種類のビットによって占有されるサブチャネルは、{前記第2ビット・ブロックにおける前記目標第1種類のビットに関連するビットの数，K個の第1種類のビットセットにおけるビットの数}の少なくとも一つに関連することは、前記目標第1種類のビットによって占有されるサブチャネルのチャネル容量は、{前記第2ビット・ブロックにおける前記目標ビットに関連するビットの数，K個の第1種類のビットセットにおけるビットの数}の少なくとも一つに関連することを意味する。
【０１８７】
一実施例として、前記サブチャネルのチャネル容量は、サブチャネル上で伝送可能な情報レートの上限である。
一実施例として、前記第1ビット・ブロックにおける一部のビットは、前記第2ビット・ブロックにおけるビットと関係がない。
【０１８８】
一実施例として、前記第1ビット・ブロックは、前記第1ノードの物理レイヤ上で生成される。
一実施例として、前記第1ノードは基地局であり、前記第1ノードは、スケジューリング結果に応じて前記第1ビット・ブロックを生成する。
【０１８９】
一実施例として、前記第1ノードはUE（User Equipment、ユーザー装置）であり、前記第1ノードは、基地局のスケジューリングに応じて前記第1ビット・ブロックを生成する。
一実施例として、前記第2ビット・ブロックにおける任意のビットについて、前記任意のビットは、前記第1ビット・ブロックにおける正の整数個のビットの和が2でモジュロ演算したものと等しい。
【０１９０】
一実施例として、前記第2ビット・ブロックにおける任意のビットについて、前記任意のビットは、前記第1ビット・ブロックにおける正の整数個のビットの和が2でモジュロ演算し、さらにスクランブリング・シーケンスにおける対応するビットとXOR演算してから得られたものである。
【０１９１】
一実施例として、前記第2ビット・ブロックは、前記第1ビット・ブロック以外のビットと関係がない。
一実施例として、前記チャネル符号化の入力は、{前記第1ビット・ブロックにおける全てのビット,前記第2ビット・ブロックにおける全てのビット,第3ビット・ブロックにおける全てのビット}を含む。前記第3ビット・ブロックにおける全てのビットの値は、予め設定されたものである。
【０１９２】
上記実施例の一サブ実施例として、前記第3ビット・ブロックにおける全てのビットは、いずれも0である。
上記実施例の一サブ実施例として、前記第3ビット・ブロックにおけるビットは、前記第1ノードの識別子に関わる。
【０１９３】
上記実施例の一サブ実施例として、前記第1ノードの識別子は、前記第3ビット・ブロックにおけるビットを生成するために用いられる。
上記実施例の一サブ実施例として、前記第3ビット・ブロックにおけるビットは、前記第1無線信号の目標受信者の識別子に関わる。
【０１９４】
上記実施例の一サブ実施例として、前記第1無線信号の目標受信者の識別子は、前記第3ビット・ブロックにおけるビットを生成するために用いられる。
一実施例として、前記第1無線信号は、物理レイヤ制御チャネル（即ち、物理レイヤ・データの伝送に用いられない物理レイヤ・チャネル）上で伝送される。
【０１９５】
一実施例として、前記第1無線信号は、物理レイヤ・データチャネル（即ち、物理レイヤ・データを運ぶするために用いられる物理レイヤ・チャネル）上で伝送される。
一実施例として、前記第1ノードはUEである。
【０１９６】
上記実施例の一サブ実施例として、前記第1無線信号はPUCCH上で伝送される。
上記実施例の一サブ実施例として、前記第1無線信号はPUSCH上で伝送される。
一実施例として、前記第1ノードは基地局である。
【０１９７】
上記実施例の一サブ実施例として、前記第1無線信号はPDSCH上で伝送される。
上記実施例の一サブ実施例として、前記第1無線信号はPDCCH上で伝送される。
一実施例として、前記第1無線信号は、前記チャネル符号化の出力について、順次チャネル符号化（Channel Coding）、スクランブリング（Scrambling）、変調マッパー（Modulation Mapper）、レイヤ・マッパー（Layer Mapper）、プリコーディング（Precoding）、リソース・エレメント・マッパー（Resource Element Mapper）、広帯域シンボル生成（Generation）を行ってからの出力である。
【０１９８】
一実施例として、前記第1無線信号は、前記チャネル符号化の出力について、順次スクランブリング、変調マッパー、レイヤ・マッパー、変換プリコーダ（transform precoder、複素数値信号を生成するために用いられる）、プリコーディング、リソース・エレメント・マッパー、広帯域シンボル生成を行ってからの出力である。
【０１９９】
一実施例として、前記広帯域信号はOFDMシンボルである。
一実施例として、前記広帯域信号はFBMCシンボルである。
［実施例10］
実施例10は、図10に示すように、ネットワーク・アーキテクチャの概念図を例示する。
【０２００】
図10は、LTE（Long-Term Evolution），LTE-A（Long-Term Evolution Advanced、Advanced LTE）及び将来の5Gシステムのネットワーク・アーキテクチャ1000を説明する。LTEネットワーク・アーキテクチャ1000は、EPS（Evolved Packet System、進化したパケット・システム）1000と呼ばれる。EPS 1000は、一つ又は一つ以上のUE（User Equipment、ユーザー装置）1001、E-UTRAN-NR（Evolved-UMTS Terrestrial Radio Access Network-New radio、進化型UMTS地上無線アクセス・ネットワーク-新無線）1002、5G-CN（5G-CoreNetwork、5Gコーア・ネットワーク）/EPC（Evolved Packet Core，進化したパケット・コーア）1010、HSS（Home Subscriber Server、ホーム加入者サーバ）1020及びインターネット・サービス1030を含む。ここで、UMTSは汎用移動通信サービス（Universal Mobile Telecommunications System）に対応する。EPSは、他のアクセス・ネットワークに接続するが、簡素化のためにこれらのエンティティ/インタフェースを図示しない。図10に示すように、EPSは、パケット交換サービスを提供するが、当業者にとっては、本出願に渡たる各種概念は回路交換サービスを提供するネットワークまで拡張されることは、容易に理解できる。E-UTRAN-NRは、NR Node B（gNB）1003及びその他gNB 1004を含む。gNB1003は、UE 1001に向けるユーザー・プレーン・プロトコル終了（user plane protocol terminations）及び制御プレーン・プロトコル終了（control plane protocol terminations）を提供する。gNB1003は、X2インタフェース（例えば、バックホール）を介してその他gNB 1004に接続することができる。gNB1003は、基地局、基地局送受信局、無線基地局、無線トランシーバー、トランシーバー機能、基本サービス・セット（BSS）、拡張サービス・セット（ESS）、TRP（送受信ポイント）又はその他適当な用語と呼ばれてもよい。gNB1003は、UE 1001に5G-CN/EPC210に対するアクセス・ポイントを提供する。UE1001の実例としては、セルラ式電話、スマート・フォン、セッション・イニシエーション・プロトコル（SIP、session initiation protocol）電話、ラップトップ・コンピュータ、パーソナル・デジタル・アシスタント（PDA、personal digital assistant）、衛星無線、グローバル・ポジショニング・システム（global positioning system）、マルチ・メディア装置、ビデオ装置、デジタル・オーディオ・プレーヤー（例えば、MP3プレーヤー）、カメラ、ゲーム・コントロール・パネル（game control panel）、無人機（uncrewed vehicle）、飛行器、狭帯域物理ネットワーク装置、マシン・タイプ通信装置、陸上車両、自動車、ウェアラブル装置あるいは任意のその他類似機能の装置と呼ばれてもよい。当業者は、UE 1001を移動局、加入者局、移動ユニット、加入者ユニット、無線ユニット、遠隔ユニット、移動装置、無線装置、無線通信装置、遠隔装置、移動加入者局、アクセス端末、移動端末、無線端末、遠隔端末、ハンドセット、ユーザー・プロキシ、移動クライアント、クライアントあるいはその他適当な用語と呼ばれてもよい。gNB1003は、S1インタフェースによって5G-CN/EPC1010に接続される。5G-CN/EPC1010は、MME 1011、その他MME1014、S-GW(Service Gateway、サービス・ゲートウェイ)1012及びP-GW(Packet Date Network Gateway、パケット・データ・ネットワーク・ゲートウェイ)1013を含む。MME1011は、UE1001と5G-CN/EPC1010との間のシグナリングを処理する制御ノードである。基本的には、MME1011は、ベアラと接続管理を提供する。全てのユーザーIP（Internet Protocal、インターネット・プロトコル）パケットは、S-GW1012によって伝送され、S-GW1012自体は、P-GW1013に接続される。P-GW1013は、UE IPアドレス割り当て及びその他機能を提供する。P-GW1013は、インターネット・サービス1030に接続される。インターネット・サービス1030は、オペレーターに対応するインターネット・プロトコル・サービスを含み、具体的にはインターネット、イントラネット、IMS（IP Multimedia Subsystem、IPマルチメディア・サブシステム）及びPSストリーミング・サービス（PSS）を含む。
【０２０１】
一実施例として、前記UE1001は、本出願の前記第1ノードに対応し、前記gNB1003は、本出願の前記第2ノードに対応する。
一実施例として、前記UE1001は、本出願の前記第2ノードに対応し、前記gNB1003は、本出願の前記第1ノードに対応する。
［実施例11］
実施例11は、図11に示すように、ユーザー・プレーンと制御プレーンの無線プロトコル・アーキテクチャの実施例の概念図を例示する。
【０２０２】
図11は、ユーザー・プレーンと制御プレーンに用いる無線プロトコル・アーキテクチャの実施例を説明する概念図であり、図11は、三つのレイヤ、即ちレイヤ1とレイヤ2とレイヤ3を利用して、UEとgNBに用いる無線プロトコル・アーキテクチャを示す。レイヤ1(L1レイヤ) は一番下位のレイヤであり、各種PHY（物理レイヤ）信号処理機能を実施する。本明細書では、L1レイヤはPHY 1101と呼ばれる。レイヤ2(L2レイヤ)1105はPHY 1101の上にあり、PHY 1101によるUEとgNBとの間のリンクを担う。ユーザー・プレーンにおいて、L2レイヤ1105は、MAC（Medium Access Control、媒体アクセス制御）サブレイヤ1102、RLC（Radio Link Control、無線リンクレイヤ制御プロトコル）サブレイヤ1103とPDCP（Packet Data Convergence Protocol、パケット・データ・コンバージェンス・プロトコル）サブレイヤ1104を含み、これらのサブレイヤはネットワーク側のgNBで終了する。図示しないが、UEは、L2レイヤ1105の上にあるいくつかのプロトコル・レイヤを有してもよい。そのうち、ネットワーク側のP-GW 1013で終了するネットワーク・レイヤ（例えば、IPレイヤ）及び接続の他端（例えば、リモートUE、サーバーなど）で終了するアプリケーション・レイヤを含む。PDCPサブレイヤ1104は、異なる無線ベアラと論理チャネルとの間の多重化を提供する。PDCPサブレイヤ1104は、さらに、上位レイヤ・データパケットに用いるヘッダー圧縮を提供して無線送信のオーバーヘッドを低減し、データ・パケットを暗号化することによりセキュリティを提供するとともに、UEのgNB同士間でのハンドオーバーをサポートする。RLCサブレイヤ1103は、上位レイヤ・データパケットのセグメンテーション及び再組み立て、無くしたデータ・パケットの再送及びデータ・パケットの並べ替えを提供してHARQによる順序外れ受信を補償する。MACサブレイヤ1102は、論理チャネルとトランスポート・チャネルとの間の多重化を提供する。MACサブレイヤ1102は、さらに、UE間で一つのセルにおける各種無線リソース（例えば、リソース・ブロック）を割り当てることを担う。MACサブレイヤ1102は、さらに、HARQ操作を担う。制御プレーンにおいて、UEとgNBとに用いる無線プロトコル・アーキテクチャは、物理レイヤ1101とL2レイヤ1105にとっては大体同じであるが、制御プレーンに用いるヘッダー圧縮機能がない。制御プレーンは、さらに、レイヤ3（Ｌ3レイヤ）におけるRRC（Radio Resource Control、無線リソース制御）サブレイヤ1106を含む。RRCサブレイヤ1106は、無線リソース（即ち、無線ベアラ）を取得し、かつgNBとUEとの間のRRCシグナリングを使用して下位レイヤを設定することを担う。
【０２０３】
一実施例として、図11における無線プロトコル・アーキテクチャは、本出願の前記第1ノードに適用される。
一実施例として、図11における無線プロトコル・アーキテクチャは、本出願の前記第2ノードに適用される。
【０２０４】
一実施例として、本出願の前記第1ビット・ブロックは、前記RRCサブレイヤ1106で生成される。
一実施例として、本出願の前記第1ビット・ブロックは、前記MACサブレイヤ1102で生成される。
【０２０５】
一実施例として、本出願の前記第1ビット・ブロックは、前記PHY1101で生成される。
一実施例として、本出願の前記第2ビット・ブロックは、前記PHY1101で生成される。
一実施例として、本出願の前記第1無線信号は、前記PHY1101で生成される。
［実施例12］
実施例12は、図12に示すように、進化したノード（evolved node）とUEの概念図を例示する。
【０２０６】
gNB1210は、コントローラー/プロセッサ1275、メモリ1276、受信プロセッサ1270、送信プロセッサ1216、チャネル・エンコーダ1277、チャネル・デコーダ1278、トランスミッタ/レシーバー1218とアンテナ1220を備える。
【０２０７】
UE1250は、コントローラー/プロセッサ1259、メモリ1260、データ・ソース1267、送信プロセッサ1268、受信プロセッサ1256、チャネル・エンコーダ1257、チャネル・デコーダ1258、トランスミッタ/レシーバー1254とアンテナ1252を備える。
【０２０８】
DL(Downlink、下り)において、gNBでは、コア・ネットワークからの上位レイヤ・データ・パケットは、コントローラー／プロセッサ1275に提供される。コントローラー／プロセッサ1275は、L2レイヤの機能を実施する。DLにおいて、コントローラー／プロセッサ1275は、ヘッダー圧縮、符号化、パケット・セグメンテーション及び並べ替え、論理チャネルとトランスポート・チャネルとの間の多重化を提供し、さらに、各種優先度に従ってUE1250の無線リソースを割り当てる。コントローラー／プロセッサ1275は、さらに、HARQ操作、無くしたパケットの再送、並びにUE1250へのシグナリングを担う。送信プロセッサ1216とチャネル・エンコーダ1277は、L1レイヤ（即ち、物理レイヤ）に用いる各種信号処理機能を実施する。チャネル・エンコーダ1277は、符号化及びインターリービングを実施してUE1250での前方エラー訂正（FEC）に寄与する。送信プロセッサ1216は、各種変調方式（例えば、バイナリ位相偏移変調（BPSK）、直交位相偏移変調（QPSK）、M位相偏移変調（M-PSK）、M直交振幅変調（M-QAM））に基づく信号クラスタのマッピングを実施し、さらに、符号化、変調を行ったシンボルに対してスペース・プリコーディング /ビーム・フォーミング処理を行い、一つ又は複数の空間ストリームを生成する。その後、送信プロセッサ1216は、空間ストリームのそれぞれをサブキャリアにマッピングし、時間領域及び／又は周波数領域において参照信号（例えば、パイロット）と多重化され、その後、逆高速フーリエ変換（IFFT） を使用して時間領域のマルチ・キャリア・シンボル・ストリームを搬送する物理チャネルを生成する。各々のトランスミッタ1218は、送信プロセッサ1216によって提供されるベースバンド・マルチ・キャリア・シンボル・ストリームを無線周波数ストリームに変換し、そして異なるアンテナ1220に提供する。
【０２０９】
DL(Downlink、下り)において、UE1250では、それぞれのレシーバー1254は、対応するアンテナ1252によって信号を受信する。それぞれのレシーバー1254は、無線周波数搬送波上に変調された情報を復元し、さらに、無線周波数ストリームをベースバンド・マルチ・キャリア・シンボル・ストリームに変換して受信プロセッサ1256に提供する。受信プロセッサ1256とチャネル・デコーダ1258とは、L1レイヤの各種信号処理機能を実施する。受信プロセッサ1256は、高速フーリエ変換（FFT）を使用してベースバンド・マルチ・キャリア・シンボル・ストリームを時間領域から周波数領域に変換する。周波数領域において、物理レイヤ・データ信号と参照信号とは、受信プロセッサ1256によって逆多重化される。ここで、参照信号はチャネル推定に用いられ、物理レイヤ・データは、受信プロセッサ1256においてマルチ・アンテナ検出によってUE1250宛ての空間ストリームに復元される。それぞれの空間ストリーム上のシンボルは、受信プロセッサ1256において復調・復元され、軟判定（soft decision）が生成される。その後、チャネル・デコーダ1258は、前記軟判定を復号化・デインタリービング（deinterleaving）して物理チャネル上でgNB1210によって送信された上位レイヤ・データと制御信号を復元する。その後、上位レイヤ・データと制御信号をコントローラー／プロセッサ1259に提供する。コントローラー／プロセッサ1259は、L2レイヤの機能を実施する。コントローラー／プロセッサは、プログラム・コードとデータを記憶するメモリ1260に関連することができる。メモリ1260は、コンピュータ読取可能媒体と称する。DLにおいて、コントローラー／プロセッサ1259は、トランスポート・チャネルと論理チャネルとの間の多重化、パケット再組み立て、復号化、ヘッダー解凍、制御信号処理を提供してコア・ネットワークからの上位レイヤ・データ・パケットを復元する。その後、上位レイヤ・データ・パケットをL2レイヤ上の全てのプロトコル・レイヤに提供する。各種制御信号をＬ3に提供してＬ3処理に用いてもよい。コントローラー／プロセッサ1259は、さらに、確認（ACK）及び／又は否定確認（NACK）プロトコルを使用してエラー検出を行ってHARQ操作をサポートする。
【０２１０】
UL(Uplink、上り)において、UE1250では、データ・ソース1267を使用して上位レイヤ・データ・パケットをコントローラー／プロセッサ1259に提供する。データ・ソース1267は、L2レイヤ上の全てのプロトコル・レイヤを表す。DLにおいて説明したgNB1210での送信機能と同様に、コントローラー／プロセッサ1259は、gNB1210の無線リソース割り当てに基づいてヘッダー圧縮、暗号化、パケット・セグメンテーション、並べ替え及び論理チャネルとトランスポート・チャネルとの間の多重化を実施し、ユーザー・プレーンと制御プレーンに用いるL2レイヤ機能を実施する。コントローラー／プロセッサ1259は、さらに、HARQ操作、無くしたパケットの再送、及びgNB1210へのシグナリングを担う。チャネル・エンコーダ1257は、チャネル符号化を実施し、符号化後のデータは、送信プロセッサ1268によって実施される変調及びマルチ・アンテナ・スペース・プリコーディング /ビーム・フォーミング処理で、マルチ・キャリア/シングル・キャリア・シンボル・ストリームに変調され、さらにトランスミッタ1254を介して異なるアンテナ1252に提供される。それぞれのトランスミッタ1254は、まず、送信プロセッサ1268によって提供されるベースバンド・シンボル・ストリームを無線周波数シンボル・ストリームに変換し、そしてアンテナ1252に提供する。
【０２１１】
UL(Uplink、上り)において、gNB1210での機能は、DLにおいて説明したUE1250の受信機能に類似する。それぞれのレシーバー1218は、対応するアンテナ1220によって無線周波数信号を受信し、受信した無線周波数信号をベースバンド信号に変換し、さらに、ベースバンド信号を受信プロセッサ1270に提供する。受信プロセッサ1270とチャネル・デコーダ1278とともにL1レイヤの機能を実施する。コントローラー／プロセッサ1275は、L2レイヤ機能を実施する。コントローラー／プロセッサ1275は、プログラム・コードとデータを記憶するメモリ1276に関連することができる。メモリ1276は、コンピュータ読取可能媒体と称する。ULにおいて、コントローラー／プロセッサ1275は、トランスポート・チャネルと論理チャネルとの間の多重化、パケット再組み立て、復号化、ヘッダー解凍、制御信号処理を提供してUE1250からの上位レイヤ・データ・パケットを復元する。コントローラー／プロセッサ1275からの上位・レイヤ・データ・パケットは、コア・ネットワークに提供される。コントローラー／プロセッサ1275は、さらに、ACK及び／又はNACKプロトコルを使用してエラー検出を行ってHARQ操作をサポートする。
【０２１２】
一実施例として、前記UE1250は、少なくとも一つのプロセッサ及び少なくとも一つのメモリを備え、前記少なくとも一つのメモリはコンピュータ・プログラム・コードを含み、前記少なくとも一つのメモリと前記コンピュータ・プログラム・コードとは、前記少なくとも一つのプロセッサとともに使用されるように配置される。前記UE1250装置は、少なくとも、本出願の前記第1ビット・ブロックを特定し、本出願の前記チャネル符号化を実行し、本出願の前記第1無線信号を送信する。
【０２１３】
一実施例として、前記UE1250は、コンピュータ読取可能な命令プログラムを記憶するメモリを備え、前記コンピュータ読取可能な命令プログラムは、少なくとも一つのプロセッサによって実行される時に動作する。前記動作は、本出願における前記第1ビット・ブロックを特定することと、本出願における前記第1無線信号を送信することと、本出願における前記チャネル符号化を実行することとを含む。
【０２１４】
一実施例として、前記UE1250は、少なくとも一つのプロセッサ及び少なくとも一つのメモリを備える。前記少なくとも一つのメモリは、コンピュータ・プログラム・コードを含む。前記少なくとも一つのメモリと前記コンピュータ・プログラム・コードは、前記少なくとも一つのプロセッサとともに使用されるように配置される。前記UE1250装置は、少なくとも本出願の前記第1無線信号を受信し、本出願の前記チャネル復号化を実行し、本出願の前記第1ビット・ブロックを復元する。
【０２１５】
一実施例として、前記UE1250は、コンピュータ読取可能な命令プログラムを記憶するメモリを備え、前記コンピュータ読取可能な命令プログラムは、少なくとも一つのプロセッサによって実行される時に動作する。前記動作は、本出願の前記第1無線信号を受信することと、本出願の前記チャネル復号化を実行することと、本出願の前記第1ビット・ブロックを復元することとを含む。
【０２１６】
一実施例として、前記gNB1210は、少なくとも一つのプロセッサ及び少なくとも一つのメモリを備え、前記少なくとも一つのメモリはコンピュータ・プログラム・コードを備える。前記少なくとも一つのメモリと前記コンピュータ・プログラム・コードは、前記少なくとも一つのプロセッサとともに使用されるように配置される。前記gNB1210装置は、少なくとも、本出願の前記第1無線信号を受信し、本出願の前記チャネル復号化を実行し、本出願の前記第1ビット・ブロックを復元する。
【０２１７】
一実施例として、前記gNB1210は、コンピュータ読取可能な命令プログラムを記憶するメモリを備え、前記コンピュータ読取可能な命令プログラムは、少なくとも一つのプロセッサによって実行される時に動作する。前記動作は、本出願の前記第1無線信号を受信することと、本出願の前記チャネル復号化を実行することと、本出願の前記第1ビット・ブロックを復元することとを含む。
【０２１８】
一実施例として、前記gNB1210は、少なくとも一つのプロセッサ及び少なくとも一つのメモリを備える。前記少なくとも一つのメモリは、コンピュータ・プログラム・コードを含む。前記少なくとも一つのメモリと前記コンピュータ・プログラム・コードとは、前記少なくとも一つのプロセッサとともに使用されるように配置される。前記gNB1210装置は、少なくとも本出願の前記第1ビット・ブロックを特定し、本出願の前記チャネル符号化を実行し、本出願の前記第1無線信号を送信する。
【０２１９】
一実施例として、前記gNB1210は、コンピュータ読取可能な命令プログラムを記憶するメモリを備える。前記コンピュータ読取可能な命令プログラムは、少なくとも一つのプロセッサによって実行される時に動作する。前記動作は、本出願の前記第1ビット・ブロックを特定することと、本出願の前記チャネル符号化を実行することと、本出願の前記第1無線信号を送信することとを含む。
【０２２０】
一実施例として、前記UE1250は、本出願の前記第1ノードに対応し、前記gNB1210は、本出願の前記第2ノードに対応する。
一実施例として、前記UE1250は、本出願の前記第2ノードに対応し、前記gNB1210は、本出願の前記第1ノードに対応する。
【０２２１】
一実施例として、前記コントローラー／プロセッサ1259、メモリ1260とデータ・ソース1267の少なくとも一つは、前記第1ビット・ブロックを特定するために用いられ、前記送信プロセッサ1268、前記チャネル・エンコーダ1257と前記コントローラー／プロセッサ1259の少なくとも一つは、本出願の前記第2ビット・ブロックを生成するために用いられ、前記受信プロセッサ1270、前記チャネル・デコーダ1278、前記コントローラー／プロセッサ1275とメモリ1276の少なくとも一つは、前記第1ビット・ブロックを復元するために用いられる。
【０２２２】
一実施例として、前記送信プロセッサ1268、前記チャネル・エンコーダ1257、前記コントローラー／プロセッサ1259、トランスミッタ1254とアンテナ1252の少なくとも一つは、前記第1無線信号を送信するために用いられ、前記受信プロセッサ1270、前記チャネル・デコーダ1278、前記コントローラー／プロセッサ1275、レシーバー1218とアンテナ1220の少なくとも一つは、前記第1無線信号を受信するために用いられる。
【０２２３】
一実施例として、前記チャネル・エンコーダ1257は、本出願の前記チャネル符号化を実行するために用いられ、前記チャネル・デコーダ1278は、本出願の前記チャネル復号化を実行するために用いられる。
【０２２４】
一実施例として、前記コントローラー／プロセッサ1275とメモリ1276の少なくとも一つは、前記第1ビット・ブロックを特定するために用いられ、前記送信プロセッサ1216、前記チャネル・エンコーダ1277と前記コントローラー／プロセッサ1275の少なくとも一つは、本出願の前記第2ビット・ブロックを生成するために用いられ、前記受信プロセッサ1256、前記チャネル・デコーダ1258、前記コントローラー／プロセッサ1259、メモリ1260とデータ・ソース1267の少なくとも一つは、前記第1ビット・ブロックを復元するために用いられる。
【０２２５】
一実施例として、前記送信プロセッサ1216、前記チャネル・エンコーダ1277、前記コントローラー／プロセッサ1275、トランスミッタ1218とアンテナ1220の少なくとも一つは、前記第1無線信号を送信するために用いられ、前記受信プロセッサ1256、前記チャネル・デコーダ1258、前記コントローラー／プロセッサ1259、レシーバー1254とアンテナ1252の少なくとも一つは、前記第1無線信号を受信するために用いられる。
【０２２６】
一実施例として、前記チャネル・エンコーダ1277は、本出願の前記チャネル符号化を実行するために用いられ、前記チャネル・デコーダ1258は、本出願の前記チャネル復号化を実行するために用いられる。
【０２２７】
一実施例として、実施例7の前記第1プロセッサ201は、{送信プロセッサ1268，チャネル・エンコーダ1257，コントローラー/プロセッサ1259，メモリ1260，データ・ソース1267}の少なくとも一つを備える。
【０２２８】
一実施例として、実施例7の前記第2プロセッサ202は、チャネル・エンコーダ1257を備える。
一実施例として、実施例7の前記第1トランスミッタ203は、{アンテナ1252，トランスミッタ1254，送信プロセッサ1268，チャネル・エンコーダ1257，コントローラー/プロセッサ1259，メモリ1260，データ・ソース1267}の少なくとも一つを備える。
【０２２９】
一実施例として、実施例7の前記第1プロセッサ201は、{送信プロセッサ1216，チャネル・エンコーダ1277，コントローラー/プロセッサ1275，メモリ1276}の少なくとも一つを備える。
【０２３０】
一実施例として、実施例7の前記第2プロセッサ202は、チャネル・エンコーダ1277を備える。
一実施例として、実施例7の前記第1トランスミッタ203は、{アンテナ1220，トランスミッタ1218，送信プロセッサ1216，チャネル・エンコーダ1277，コントローラー/プロセッサ1275，メモリ1276}の少なくとも一つを備える。
【０２３１】
一実施例として、実施例8の前記第1レシーバー301は、{アンテナ1220，レシーバー1218，受信プロセッサ1270，チャネル・デコーダ1278，コントローラー/プロセッサ1275，メモリ1276}の少なくとも一つを備える。
【０２３２】
一実施例として、実施例8の前記第3プロセッサ302は、チャネル・デコーダ1278を備える。
一実施例として、実施例8の前記第4プロセッサ303は、{受信プロセッサ1270，チャネル・デコーダ1278，コントローラー/プロセッサ1275，メモリ1276}の少なくとも一つを備える。
【０２３３】
一実施例として、実施例8の前記第1レシーバー301は、{アンテナ1252，レシーバー1254，受信プロセッサ1256，チャネル・デコーダ1258，コントローラー/プロセッサ1259，メモリ1260，データ・ソース1267}の少なくとも一つを備える。
【０２３４】
一実施例として、実施例8の前記第3プロセッサ302は、チャネル・デコーダ1258を備える。
一実施例として、実施例8の前記第4プロセッサ303は、{受信プロセッサ1256，チャネル・デコーダ1258，コントローラー/プロセッサ1259，メモリ1260，データ・ソース1267}の少なくとも一つを備える。
【０２３５】
当業者は、上記方法における全て又は一部のステップは、プログラムによって対応するハードウェアで行うように指示することができることが理解できる。前記プログラムを読み取り専用メモリ、ハード・ディスク又は光ディスクなどのコンピュータ可読記憶媒体に記憶することができる。上記実施例の全て又は一部のステップは、一つ又は複数の集積回路を使用して実現してもよい。これに応じて、上記実施例におけるモジュールは、ハードウェア形式で実現してもよいし、ソフトウェア機能モジュールの形式で実現してもよい。本出願は、いかなる特定形式のソフトウェアとハードウェアとの組み合わせに限定されない。本願におけるユーザー装置、UE又は端末は、無人機、無人機上の通信モジュール、遠隔制御航空機、航空機、小型航空機、携帯電話、タブレット・コンピュータ、ノート・パソコン、車両通信装置、無線センサ、インターネット・カード、IOT（モノのインターネット、Internet of Things）端末、RFID端末、NB-IOT端末、MTC（Machine Type Communication）端末、eMTC（拡張MTC、enhanced MTC）端末、データ・カード、ネットワーク・カード、車載通信機器、低価格携帯電話、低価格タブレットなどの無線通信装置を含むが、これらに限定されない。本出願における基地局又はシステム装置は、マクロ・セルラ基地局、マイクロ・セルラ基地局、ホーム基地局、中継基地局、gNB（NR Node B）、TRP（送受信ポイント、Transmitter Receiver Point）などを含むが、これらに限定されない。
【０２３６】
上記は本出願の好ましい実施形態にすぎず、本出願の範囲を限定することを意図するものではない。本出願の精神および原理の範囲内で行われる任意の修正、等価物、改良などは、本出願の範囲内に含まれることが意図されている。
【図１】
2020504567.tif 000003
【図２】
2020504567.tif 000004
【図３】
2020504567.tif 000005
【図４】
2020504567.tif 000006
【図５】
2020504567.tif 000007
【図６】
2020504567.tif 000008
【図７】
2020504567.tif 000009
【図８】
2020504567.tif 000010
【図９】
2020504567.tif 000011
【図１０】
2020504567.tif 000012
【図１１】
2020504567.tif 000013
【図１２】
2020504567.tif 000014
【国際調査報告】
2020504567.tif 000015
2020504567.tif 000016
2020504567.tif 000017
2020504567.tif 000018